(57)【特許請求の範囲】
【請求項１】
（Ａ）少なくとも１つのフッ素含有ケトン；及び
（Ｂ）エポキシ化合物、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、アルコキシメタン化合物、及び有機チオ化合物からなる群から選択される少なくとも１つである安定剤を含み、
前記安定剤対前記フッ素含有ケトンの質量比が０．１：１０００から５０：１０００までの範囲であり、
前記フッ素含有ケトンが、ＣＦ３ＣＦ２Ｃ（＝Ｏ）ＣＦ（ＣＦ３）２である場合、前記安定剤が、ニトロメタン、ヒンダードフェノール化合物、及びホスファイト化合物を含まない組成物。
【請求項２】
前記フッ素含有ケトンが、以下の分子構造：
Ｒ１ｆ−Ｃ（＝Ｏ）−Ｒ２ｆ
を有し、式中、Ｒ１ｆ及びＲ２ｆが、独立して、ＣａＨｂＦｃＣｌｄＢｒｅから選択され、ａが、１〜７から選択される整数であり、ｂ、ｄ、及びｅが、０〜１５から選択される独立した整数であり、ｃが、１〜１５から選択される整数であり、ｂ＋ｃ＋ｄ＋ｅ≦２ａ＋１である、請求項１に記載の組成物。
【請求項３】
前記フッ素含有ケトンが、以下の化合物：
ＣＦ３Ｃ（＝Ｏ）ＣＦ３、ＣＦ３Ｃ（＝Ｏ）ＣＦ２ＣＦ３、ＣＦ３Ｃ（＝Ｏ）ＣＦ２ＣＦ２ＣＦ３、ＣＦ３Ｃ（＝Ｏ）ＣＦ（ＣＦ３）２、ＣＦ３Ｃ（＝Ｏ）ＣＦ２ＣＦ２ＣＦ２ＣＦ３、ＣＦ３Ｃ（＝Ｏ）ＣＦ２ＣＦ（ＣＦ３）２、ＣＦ３Ｃ（＝Ｏ）ＣＦ（ＣＦ３）ＣＦ２ＣＦ３、ＣＦ３Ｃ（＝Ｏ）ＣＦ２ＣＦ２ＣＦ２ＣＦ２ＣＦ３、ＣＦ３Ｃ（＝Ｏ）ＣＦ（ＣＦ３）ＣＦ２ＣＦ２ＣＦ３、ＣＦ３Ｃ（＝Ｏ）ＣＦ（ＣＦ２ＣＦ３）２、ＣＦ３Ｃ（＝Ｏ）ＣＦ２ＣＦ２ＣＦ２ＣＦ２ＣＦ２ＣＦ３、ＣＦ３Ｃ（＝Ｏ）ＣＦ（ＣＦ３）ＣＦ２ＣＦ２ＣＦ２ＣＦ３、ＣＦ３Ｃ（＝Ｏ）ＣＦ（ＣＦ２ＣＦ３）ＣＦ２ＣＦ２ＣＦ３、ＣＦ３Ｃ（＝Ｏ）Ｃ（ＣＦ３）２ＣＦ２ＣＦ２ＣＦ３、ＣＦ３Ｃ（＝Ｏ）ＣＦ２ＣＦ（ＣＦ３）ＣＦ２ＣＦ２ＣＦ３、ＣＦ３Ｃ（＝Ｏ）ＣＦ（ｉ−Ｃ３Ｆ７）ＣＦ２ＣＦ３、ＣＦ３Ｃ（＝Ｏ）ＣＦ（ＣＦ３）ＣＦ２ＣＦ（ＣＦ３）２、ＣＦ３Ｃ（＝Ｏ）ＣＦ２ＣＦ２ＣＦ２ＣＦ２ＣＦ２ＣＦ２ＣＦ３、ＣＦ３Ｃ（＝Ｏ）ＣＦ（ＣＦ３）ＣＦ２ＣＦ２ＣＦ２ＣＦ２ＣＦ３、ＣＦ３Ｃ（＝Ｏ）ＣＦ２ＣＦ２ＣＦ＝ＣＦ２、ＣＦ３Ｃ（＝Ｏ）ＣＦ（ＣＦ３）ＣＦ＝ＣＦ２、ＣＦ３Ｃ（＝Ｏ）ＣＨ（ＣＦ３）ＣＨＦＣＦ３、ＣＦ３Ｃ（＝Ｏ）ＣＨ２ＣＦＢｒＣＦ３、ＣＦ３Ｃ（＝Ｏ）ＣＢｒ（ＣＦ３）ＣＨ２Ｆ、ＣＦ３Ｃ（＝Ｏ）ＣＨＢｒＣＨＦＣＦ３、ＣＦ３Ｃ（＝Ｏ）ＣＨ（ＣＦ３）ＣＨＦＢｒ、ＣＦ３Ｃ（＝Ｏ）ＣＨ２ＣＦＣｌＣＦ３、ＣＦ３Ｃ（＝Ｏ）ＣＣｌ（ＣＦ３）ＣＨ２Ｆ、ＣＦ３Ｃ（＝Ｏ）ＣＨＣｌＣＨＦＣＦ３、ＣＦ３Ｃ（＝Ｏ）ＣＨ（ＣＦ３）ＣＨＦＣｌ、ＣＦ３Ｃ（＝Ｏ）ＣＨ２ＣＨＦＣＦ３、ＣＦ３Ｃ（＝Ｏ）ＣＨ（ＣＦ３）ＣＨ２Ｆ、ＣＦ３Ｃ（＝Ｏ）ＣＨ２ＣＦ２ＣＦ３、ＣＦ３Ｃ（＝Ｏ）ＣＦ（ＣＦ３）ＣＨ２Ｆ、ＣＦ３Ｃ（＝Ｏ）ＣＨＦＣＨＦＣＦ３、ＣＦ３Ｃ（＝Ｏ）ＣＨ（ＣＦ３）ＣＨＦ２、ＣＦ３Ｃ（＝Ｏ）ＣＨＦＣＦ３、ＣＦ３Ｃ（＝Ｏ）ＣＦ２ＣＨＦ２、ＣＦ３Ｃ（＝Ｏ）ＣＣｌＦＣＦ３、ＣＦ３Ｃ（＝Ｏ）ＣＦ２ＣＦ２Ｃｌ、ＣＦ３Ｃ（＝Ｏ）ＣＢｒＦＣＦ３、ＣＦ３Ｃ（＝Ｏ）ＣＦ２ＣＦ２Ｂｒ、ＣＦ３ＣＦ２Ｃ（＝Ｏ）ＣＦ２ＣＦ３、ＣＦ３ＣＦ２Ｃ（＝Ｏ）ＣＦ２ＣＦ２ＣＦ３、ＣＦ３ＣＦ２Ｃ（＝Ｏ）ＣＦ（ＣＦ３）２、ＣＦ３ＣＦ２Ｃ（＝Ｏ）ＣＦ２ＣＦ２ＣＦ２ＣＦ３、ＣＦ３ＣＦ２Ｃ（＝Ｏ）ＣＦ２ＣＦ（ＣＦ３）２、ＣＦ３ＣＦ２Ｃ（＝Ｏ）ＣＦ（ＣＦ３）ＣＦ２ＣＦ３、ＣＦ３ＣＦ２Ｃ（＝Ｏ）ＣＦ２ＣＦ２ＣＦ２ＣＦ２ＣＦ３、ＣＦ３ＣＦ２Ｃ（＝Ｏ）ＣＦ（ＣＦ３）ＣＦ２ＣＦ２ＣＦ３、ＣＦ３ＣＦ２Ｃ（＝Ｏ）ＣＦ（ＣＦ２ＣＦ３）２、ＣＦ３ＣＦ２Ｃ（＝Ｏ）ＣＦ２ＣＦ２ＣＦ２ＣＦ２ＣＦ２ＣＦ３、ＣＦ３ＣＦ２Ｃ（＝Ｏ）ＣＦ（ＣＦ３）ＣＦ２ＣＦ２ＣＦ２ＣＦ３、ＣＦ３ＣＦ２Ｃ（＝Ｏ）ＣＦ（ＣＦ２ＣＦ３）ＣＦ２ＣＦ２ＣＦ３、ＣＦ３ＣＦ２Ｃ（＝Ｏ）Ｃ（ＣＦ３）２ＣＦ２ＣＦ２ＣＦ３、ＣＦ３ＣＦ２Ｃ（＝Ｏ）ＣＦ２ＣＦ（ＣＦ３）ＣＦ２ＣＦ２ＣＦ３、ＣＦ３ＣＦ２Ｃ（＝Ｏ）ＣＦ（ｉ−Ｃ３Ｆ７）ＣＦ２ＣＦ３、ＣＦ３ＣＦ２Ｃ（＝Ｏ）ＣＦ（ＣＦ３）ＣＦ２ＣＦ（ＣＦ３）２、ＣＦ３ＣＦ２Ｃ（＝Ｏ）ＣＦ２ＣＦ２ＣＦ２ＣＦ２ＣＦ２ＣＦ２ＣＦ３、ＣＦ３ＣＦ２Ｃ（＝Ｏ）ＣＦ（ＣＦ３）ＣＦ２ＣＦ２ＣＦ２ＣＦ２ＣＦ３、ＣＦ３ＣＦ２Ｃ（＝Ｏ）ＣＦ２ＣＦ２ＣＦ＝ＣＦ２、ＣＦ３ＣＦ２Ｃ（＝Ｏ）ＣＦ（ＣＦ３）ＣＦ＝ＣＦ２、ＣＦ３ＣＦ２Ｃ（＝Ｏ）ＣＨ（ＣＦ３）ＣＨＦＣＦ３、ＣＦ３ＣＦ２Ｃ（＝Ｏ）ＣＨ２ＣＦＢｒＣＦ３、ＣＦ３ＣＦ２Ｃ（＝Ｏ）ＣＢｒ（ＣＦ３）ＣＨ２Ｆ、ＣＦ３ＣＦ２Ｃ（＝Ｏ）ＣＨＢｒＣＨＦＣＦ３、ＣＦ３ＣＦ２Ｃ（＝Ｏ）ＣＨ（ＣＦ３）ＣＨＦＢｒ、ＣＦ３ＣＦ２Ｃ（＝Ｏ）ＣＨ２ＣＦＣｌＣＦ３、ＣＦ３ＣＦ２Ｃ（＝Ｏ）ＣＣｌ（ＣＦ３）ＣＨ２Ｆ、ＣＦ３ＣＦ２Ｃ（＝Ｏ）ＣＨＣｌＣＨＦＣＦ３、ＣＦ３ＣＦ２Ｃ（＝Ｏ）ＣＨ（ＣＦ３）ＣＨＦＣｌ、ＣＦ３ＣＦ２Ｃ（＝Ｏ）ＣＨ２ＣＨＦＣＦ３、ＣＦ３ＣＦ２Ｃ（＝Ｏ）ＣＨ（ＣＦ３）ＣＨ２Ｆ、ＣＦ３ＣＦ２Ｃ（＝Ｏ）ＣＨ２ＣＦ２ＣＦ３、ＣＦ３ＣＦ２Ｃ（＝Ｏ）ＣＦ（ＣＦ３）ＣＨ２Ｆ、ＣＦ３ＣＦ２Ｃ（＝Ｏ）ＣＨＦＣＨＦＣＦ３、ＣＦ３ＣＦ２Ｃ（＝Ｏ）ＣＨ（ＣＦ３）ＣＨＦ２、ＣＦ３ＣＦ２Ｃ（＝Ｏ）ＣＨＦＣＦ３、ＣＦ３ＣＦ２Ｃ（＝Ｏ）ＣＦ２ＣＨＦ２、ＣＦ３ＣＦ２Ｃ（＝Ｏ）ＣＣｌＦＣＦ３、ＣＦ３ＣＦ２Ｃ（＝Ｏ）ＣＦ２ＣＦ２Ｃｌ、ＣＦ３ＣＦ２Ｃ（＝Ｏ）ＣＢｒＦＣＦ３、ＣＦ３ＣＦ２Ｃ（＝Ｏ）ＣＦ２ＣＦ２Ｂｒ、ＣＦ３ＣＦ２ＣＦ２Ｃ（＝Ｏ）ＣＦ２ＣＦ２ＣＦ３、ＣＦ３ＣＦ２ＣＦ２Ｃ（＝Ｏ）ＣＦ（ＣＦ３）２、ＣＦ３ＣＦ２ＣＦ２Ｃ（＝Ｏ）ＣＦ２ＣＦ２ＣＦ２ＣＦ３、ＣＦ３ＣＦ２ＣＦ２Ｃ（＝Ｏ）ＣＦ２ＣＦ（ＣＦ３）２、ＣＦ３ＣＦ２ＣＦ２Ｃ（＝Ｏ）ＣＦ（ＣＦ３）ＣＦ２ＣＦ３、ＣＦ３ＣＦ２ＣＦ２Ｃ（＝Ｏ）ＣＦ２ＣＦ２ＣＦ２ＣＦ２ＣＦ３、ＣＦ３ＣＦ２ＣＦ２Ｃ（＝Ｏ）ＣＦ（ＣＦ３）ＣＦ２ＣＦ２ＣＦ３、ＣＦ３ＣＦ２ＣＦ２Ｃ（＝Ｏ）ＣＦ（ＣＦ２ＣＦ３）２、ＣＦ３ＣＦ２ＣＦ２Ｃ（＝Ｏ）ＣＦ２ＣＦ２ＣＦ２ＣＦ２ＣＦ２ＣＦ３、ＣＦ３ＣＦ２ＣＦ２Ｃ（＝Ｏ）ＣＦ（ＣＦ３）ＣＦ２ＣＦ２ＣＦ２ＣＦ３、ＣＦ３ＣＦ２ＣＦ２Ｃ（＝Ｏ）ＣＦＣＦ２ＣＦ３）ＣＦ２ＣＦ２ＣＦ３、ＣＦ３ＣＦ２ＣＦ２Ｃ（＝Ｏ）Ｃ（ＣＦ３）２ＣＦ２ＣＦ２ＣＦ３、ＣＦ３ＣＦ２ＣＦ２Ｃ（＝Ｏ）ＣＦ２ＣＦ（ＣＦ３）ＣＦ２ＣＦ２ＣＦ３、ＣＦ３ＣＦ２ＣＦ２Ｃ（＝Ｏ）ＣＦ（ｉ−Ｃ３Ｆ７）ＣＦ２ＣＦ３、ＣＦ３ＣＦ２ＣＦ２Ｃ（＝Ｏ）ＣＦ（ＣＦ３）ＣＦ２ＣＦ（ＣＦ３）２、ＣＦ３ＣＦ２ＣＦ２Ｃ（＝Ｏ）ＣＦ２ＣＦ２ＣＦ２ＣＦ２ＣＦ２ＣＦ２ＣＦ３、ＣＦ３ＣＦ２ＣＦ２Ｃ（＝Ｏ）ＣＦ（ＣＦ３）ＣＦ２ＣＦ２ＣＦ２ＣＦ２ＣＦ３、ＣＦ３ＣＦ２ＣＦ２Ｃ（＝Ｏ）ＣＦ２ＣＦ２ＣＦ＝ＣＦ２、ＣＦ３ＣＦ２ＣＦ２
Ｃ（＝Ｏ）ＣＦ（ＣＦ３）ＣＦ＝ＣＦ２、ＣＦ３ＣＦ２ＣＦ２Ｃ（＝Ｏ）ＣＨ（ＣＦ３）ＣＨＦＣＦ３、ＣＦ３ＣＦ２ＣＦ２Ｃ（＝Ｏ）ＣＨ２ＣＦＢｒＣＦ３、ＣＦ３ＣＦ２ＣＦ２Ｃ（＝Ｏ）ＣＢｒ（ＣＦ３）ＣＨ２Ｆ、ＣＦ３ＣＦ２ＣＦ２Ｃ（＝Ｏ）ＣＨＢｒＣＨＦＣＦ３、ＣＦ３ＣＦ２ＣＦ２Ｃ（＝Ｏ）ＣＨ（ＣＦ３）ＣＨＦＢｒ、ＣＦ３ＣＦ２ＣＦ２Ｃ（＝Ｏ）ＣＨ２ＣＦＣｌＣＦ３、ＣＦ３ＣＦ２ＣＦ２Ｃ（＝Ｏ）ＣＣｌ（ＣＦ３）ＣＨ２Ｆ、ＣＦ３ＣＦ２ＣＦ２Ｃ（＝Ｏ）ＣＨＣｌＣＨＦＣＦ３、ＣＦ３ＣＦ２ＣＦ２Ｃ（＝Ｏ）ＣＨ（ＣＦ３）ＣＨＦＣｌ、ＣＦ３ＣＦ２ＣＦ２Ｃ（＝Ｏ）ＣＨ２ＣＨＦＣＦ３、ＣＦ３ＣＦ２ＣＦ２Ｃ（＝Ｏ）ＣＨ（ＣＦ３）ＣＨ２Ｆ、ＣＦ３ＣＦ２ＣＦ２Ｃ（＝Ｏ）ＣＨ２ＣＦ２ＣＦ３、ＣＦ３ＣＦ２ＣＦ２Ｃ（＝Ｏ）ＣＦ（ＣＦ３）ＣＨ２Ｆ、ＣＦ３ＣＦ２ＣＦ２Ｃ（＝Ｏ）ＣＨＦＣＨＦＣＦ３、ＣＦ３ＣＦ２ＣＦ２Ｃ（＝Ｏ）ＣＨ（ＣＦ３）ＣＨＦ２、ＣＦ３ＣＦ２ＣＦ２Ｃ（＝Ｏ）ＣＨＦＣＦ３、ＣＦ３ＣＦ２ＣＦ２Ｃ（＝Ｏ）ＣＦ２ＣＨＦ２、ＣＦ３ＣＦ２ＣＦ２Ｃ（＝Ｏ）ＣＣｌＦＣＦ３、ＣＦ３ＣＦ２ＣＦ２Ｃ（＝Ｏ）ＣＦ２ＣＦ２Ｃｌ、ＣＦ３ＣＦ２ＣＦ２Ｃ（＝Ｏ）ＣＢｒＦＣＦ３、ＣＦ３ＣＦ２ＣＦ２Ｃ（＝Ｏ）ＣＦ２ＣＦ２Ｂｒ、（ＣＦ３）２ＣＦＣ（＝Ｏ）ＣＦ（ＣＦ３）２、（ＣＦ３）２ＣＦＣ（＝Ｏ）ＣＦ２ＣＦ２ＣＦ２ＣＦ３、（ＣＦ３）２ＣＦＣ（＝Ｏ）ＣＦ２ＣＦ（ＣＦ３）２、（ＣＦ３）２ＣＦＣ（＝Ｏ）ＣＦ（ＣＦ３）ＣＦ２ＣＦ３、（ＣＦ３）２ＣＦＣ（＝Ｏ）ＣＦ２ＣＦ２ＣＦ２ＣＦ２ＣＦ３、（ＣＦ３）２ＣＦＣ（＝Ｏ）ＣＦ（ＣＦ３）ＣＦ２ＣＦ２ＣＦ３、（ＣＦ３）２ＣＦＣ（＝Ｏ）ＣＦ（ＣＦ２ＣＦ３）２、（ＣＦ３）２ＣＦＣ（＝Ｏ）ＣＦ２ＣＦ２ＣＦ２ＣＦ２ＣＦ２ＣＦ３、（ＣＦ３）２ＣＦＣ（＝Ｏ）ＣＦ（ＣＦ３）ＣＦ２ＣＦ２ＣＦ２ＣＦ３、（ＣＦ３）２ＣＦＣ（＝Ｏ）ＣＦ（ＣＦ２ＣＦ３）ＣＦ２ＣＦ２ＣＦ３、（ＣＦ３）２ＣＦＣ（＝Ｏ）Ｃ（ＣＦ３）２ＣＦ２ＣＦ２ＣＦ３、（ＣＦ３）２ＣＦＣ（＝Ｏ）ＣＦ２ＣＦ（ＣＦ３）ＣＦ２ＣＦ２ＣＦ３、（ＣＦ３）２ＣＦＣ（＝Ｏ）ＣＦ（ｉ−Ｃ３Ｆ７）ＣＦ２ＣＦ３、（ＣＦ３）２ＣＦＣ（＝Ｏ）ＣＦ（ＣＦ３）ＣＦ２ＣＦ（ＣＦ３）２、（ＣＦ３）２ＣＦＣ（＝Ｏ）ＣＦ２ＣＦ２ＣＦ２ＣＦ２ＣＦ２ＣＦ２ＣＦ３、（ＣＦ３）２ＣＦＣ（＝Ｏ）ＣＦ（ＣＦ３）ＣＦ２ＣＦ２ＣＦ２ＣＦ２ＣＦ３、（ＣＦ３）２ＣＦＣ（＝Ｏ）ＣＦ２ＣＦ２ＣＦ＝ＣＦ２、（ＣＦ３）２ＣＦＣ（＝Ｏ）ＣＦ（ＣＦ３）ＣＦ＝ＣＦ２、（ＣＦ３）２ＣＦＣ（＝Ｏ）ＣＨ（ＣＦ３）ＣＨＦＣＦ３、（ＣＦ３）２ＣＦＣ（＝Ｏ）ＣＨ２ＣＦＢｒＣＦ３、（ＣＦ３）２ＣＦＣ（＝Ｏ）ＣＢｒ（ＣＦ３）ＣＨ２Ｆ、（ＣＦ３）２ＣＦＣ（＝Ｏ）ＣＨＢｒＣＨＦＣＦ３、（ＣＦ３）２ＣＦＣ（＝Ｏ）ＣＨ（ＣＦ３）ＣＨＦＢｒ、（ＣＦ３）２ＣＦＣ（＝Ｏ）ＣＨ２ＣＦＣｌＣＦ３、（ＣＦ３）２ＣＦＣ（＝Ｏ）ＣＣｌ（ＣＦ３）ＣＨ２Ｆ、（ＣＦ３）２ＣＦＣ（＝Ｏ）ＣＨＣｌＣＨＦＣＦ３、（ＣＦ３）２ＣＦＣ（＝Ｏ）ＣＨ（ＣＦ３）ＣＨＦＣｌ、（ＣＦ３）２ＣＦＣ（＝Ｏ）ＣＨ２ＣＨＦＣＦ３、（ＣＦ３）２ＣＦＣ（＝Ｏ）ＣＨ（ＣＦ３）ＣＨ２Ｆ、（ＣＦ３）２ＣＦＣ（＝Ｏ）ＣＨ２ＣＦ２ＣＦ３、（ＣＦ３）２ＣＦＣ（＝Ｏ）ＣＦ（ＣＦ３）ＣＨ２Ｆ、（ＣＦ３）２ＣＦＣ（＝Ｏ）ＣＨＦＣＨＦＣＦ３、（ＣＦ３）２ＣＦＣ（＝Ｏ）ＣＨ（ＣＦ３）ＣＨＦ２、（ＣＦ３）２ＣＦＣ（＝Ｏ）ＣＨＦＣＦ３、（ＣＦ３）２ＣＦＣ（＝Ｏ）ＣＦ２ＣＨＦ２、（ＣＦ３）２ＣＦＣ（＝Ｏ）ＣＣｌＦＣＦ３、（ＣＦ３）２ＣＦＣ（＝Ｏ）ＣＦ２ＣＦ２Ｃｌ、（ＣＦ３）２ＣＦＣ（＝Ｏ）ＣＢｒＦＣＦ３、（ＣＦ３）２ＣＦＣ（＝Ｏ）ＣＦ２ＣＦ２Ｂｒからなる群から選択される少なくとも１つである、請求項２に記載の組成物。
【請求項４】
前記フッ素含有ケトンが、以下の化合物：
ＣＦ３Ｃ（＝Ｏ）ＣＦ３、ＣＦ３Ｃ（＝Ｏ）ＣＦ２ＣＦ３、ＣＦ３Ｃ（＝Ｏ）ＣＦ（ＣＦ３）２、ＣＦ３Ｃ（＝Ｏ）ＣＦ２ＣＦ（ＣＦ３）２、ＣＦ３Ｃ（＝Ｏ）ＣＦ（ＣＦ３）ＣＦ２ＣＦ３、ＣＦ３Ｃ（＝Ｏ）ＣＦ（ＣＦ３）ＣＦ２ＣＦ２ＣＦ３、ＣＦ３Ｃ（＝Ｏ）ＣＦ（ＣＦ２ＣＦ３）２、ＣＦ３Ｃ（＝Ｏ）ＣＦ（ＣＦ３）ＣＦ２ＣＦ２ＣＦ２ＣＦ３、ＣＦ３Ｃ（＝Ｏ）ＣＦ（ＣＦ２ＣＦ３）ＣＦ２ＣＦ２ＣＦ３、ＣＦ３Ｃ（＝Ｏ）Ｃ（ＣＦ３）２ＣＦ２ＣＦ２ＣＦ３、ＣＦ３Ｃ（＝Ｏ）ＣＦ（ｉ−Ｃ３Ｆ７）ＣＦ２ＣＦ３、ＣＦ３Ｃ（＝Ｏ）ＣＦ（ＣＦ３）ＣＦ２ＣＦ２ＣＦ２ＣＦ２ＣＦ３、ＣＦ３Ｃ（＝Ｏ）ＣＦ２ＣＦ２ＣＦ＝ＣＦ２、ＣＦ３Ｃ（＝Ｏ）ＣＦ（ＣＦ３）ＣＦ＝ＣＦ２、ＣＦ３Ｃ（＝Ｏ）ＣＨ（ＣＦ３）ＣＨＦＣＦ３、ＣＦ３Ｃ（＝Ｏ）ＣＨ２ＣＦＢｒＣＦ３、ＣＦ３Ｃ（＝Ｏ）ＣＢｒ（ＣＦ３）ＣＨ２Ｆ、ＣＦ３Ｃ（＝Ｏ）ＣＨＢｒＣＨＦＣＦ３、ＣＦ３Ｃ（＝Ｏ）ＣＨ（ＣＦ３）ＣＨＦＢｒ、ＣＦ３Ｃ（＝Ｏ）ＣＨ２ＣＦＣｌＣＦ３、ＣＦ３Ｃ（＝Ｏ）ＣＣｌ（ＣＦ３）ＣＨ２Ｆ、ＣＦ３Ｃ（＝Ｏ）ＣＨＣｌＣＨＦＣＦ３、ＣＦ３Ｃ（＝Ｏ）ＣＨ（ＣＦ３）ＣＨＦＣｌ、ＣＦ３Ｃ（＝Ｏ）ＣＨ（ＣＦ３）ＣＨ２Ｆ、ＣＦ３Ｃ（＝Ｏ）ＣＦ（ＣＦ３）ＣＨ２Ｆ、ＣＦ３Ｃ（＝Ｏ）ＣＨ（ＣＦ３）ＣＨＦ２、ＣＦ３Ｃ（＝Ｏ）ＣＨＦＣＦ３、ＣＦ３Ｃ（＝Ｏ）ＣＦ２ＣＨＦ２、ＣＦ３Ｃ（＝Ｏ）ＣＣｌＦＣＦ３、ＣＦ３Ｃ（＝Ｏ）ＣＦ２ＣＦ２Ｃｌ、ＣＦ３Ｃ（＝Ｏ）ＣＢｒＦＣＦ３、ＣＦ３Ｃ（＝Ｏ）ＣＦ２ＣＦ２Ｂｒ、ＣＦ３ＣＦ２Ｃ（＝Ｏ）ＣＦ２ＣＦ３、ＣＦ３ＣＦ２Ｃ（＝Ｏ）ＣＦ（ＣＦ３）２、ＣＦ３ＣＦ２Ｃ（＝Ｏ）ＣＦ２ＣＦ（ＣＦ３）２、ＣＦ３ＣＦ２Ｃ（＝Ｏ）ＣＦ（ＣＦ３）ＣＦ２ＣＦ３、ＣＦ３ＣＦ２Ｃ（＝Ｏ）ＣＦ（ＣＦ３）ＣＦ２ＣＦ２ＣＦ３、ＣＦ３ＣＦ２Ｃ（＝Ｏ）ＣＦ（ＣＦ２ＣＦ３）２、ＣＦ３ＣＦ２Ｃ（＝Ｏ）ＣＦ（ＣＦ３）ＣＦ２ＣＦ２ＣＦ２ＣＦ３、ＣＦ３ＣＦ２Ｃ（＝Ｏ）ＣＦ（ＣＦ２ＣＦ３）ＣＦ２ＣＦ２ＣＦ３、ＣＦ３ＣＦ２Ｃ（＝Ｏ）Ｃ（ＣＦ３）２ＣＦ２ＣＦ２ＣＦ３、ＣＦ３ＣＦ２Ｃ（＝Ｏ）ＣＦ（ｉ−Ｃ３Ｆ７）ＣＦ２ＣＦ３、ＣＦ３ＣＦ２Ｃ（＝Ｏ）ＣＦ（ＣＦ３）ＣＦ２ＣＦ２ＣＦ２ＣＦ２ＣＦ３、ＣＦ３ＣＦ２Ｃ（＝Ｏ）ＣＦ２ＣＦ２ＣＦ＝ＣＦ２、ＣＦ３ＣＦ２Ｃ（＝Ｏ）ＣＦ（ＣＦ３）ＣＦ＝ＣＦ２、ＣＦ３ＣＦ２Ｃ（＝Ｏ）ＣＨ（ＣＦ３）ＣＨＦＣＦ３、ＣＦ３ＣＦ２Ｃ（＝Ｏ）ＣＨ２ＣＦＢｒＣＦ３、ＣＦ３ＣＦ２Ｃ（＝Ｏ）ＣＢｒ（ＣＦ３）ＣＨ２Ｆ、ＣＦ３ＣＦ２Ｃ（＝Ｏ）ＣＨＢｒＣＨＦＣＦ３、Ｆ３ＣＦ２Ｃ（＝Ｏ）ＣＨ（ＣＦ３）ＣＨＦＢｒ、ＣＦ３ＣＦ２Ｃ（＝Ｏ）ＣＨ２ＣＦＣｌＣＦ３、ＣＦ３ＣＦ２Ｃ（＝Ｏ）ＣＣｌ（ＣＦ３）ＣＨ２Ｆ、ＣＦ３ＣＦ２Ｃ（＝Ｏ）ＣＨＣｌＣＨＦＣＦ３、ＣＦ３ＣＦ２Ｃ（＝Ｏ）ＣＨ（ＣＦ３）ＣＨＦＣｌ、ＣＦ３ＣＦ２Ｃ（＝Ｏ）ＣＨ（ＣＦ３）ＣＨ２Ｆ、ＣＦ３ＣＦ２Ｃ（＝Ｏ）ＣＦ（ＣＦ３）ＣＨ２Ｆ、ＣＦ３ＣＦ２Ｃ（＝Ｏ）ＣＨ（ＣＦ３）ＣＨＦ２、ＣＦ３ＣＦ２Ｃ（＝Ｏ）ＣＨＦＣＦ３、ＣＦ３ＣＦ２Ｃ（＝Ｏ）ＣＦ２ＣＨＦ２、ＣＦ３ＣＦ２Ｃ（＝Ｏ）ＣＣｌＦＣＦ３、ＣＦ３ＣＦ２Ｃ（＝Ｏ）ＣＦ２ＣＦ２Ｃｌ、ＣＦ３ＣＦ２Ｃ（＝Ｏ）ＣＢｒＦＣＦ３、ＣＦ３ＣＦ２Ｃ（＝Ｏ）ＣＦ２ＣＦ２Ｂｒ、ＣＦ３ＣＦ２ＣＦ２Ｃ（＝Ｏ）ＣＦ（ＣＦ３）２、ＣＦ３ＣＦ２ＣＦ２Ｃ（＝Ｏ）ＣＦ２ＣＦ（ＣＦ３）２、ＣＦ３ＣＦ２ＣＦ２Ｃ（＝Ｏ）ＣＦ（ＣＦ３）ＣＦ２ＣＦ３、ＣＦ３ＣＦ２ＣＦ２Ｃ（＝Ｏ）ＣＦ（ＣＦ３）ＣＦ２ＣＦ２ＣＦ３、ＣＦ３ＣＦ２ＣＦ２Ｃ（＝Ｏ）ＣＦ（ＣＦ２ＣＦ３）２、ＣＦ３ＣＦ２ＣＦ２Ｃ（＝Ｏ）ＣＦ（ＣＦ３）ＣＦ２ＣＦ２ＣＦ２ＣＦ３、ＣＦ３ＣＦ２ＣＦ２Ｃ（＝Ｏ）ＣＦ（ＣＦ２ＣＦ３）ＣＦ２ＣＦ２ＣＦ３、ＣＦ３ＣＦ２ＣＦ２Ｃ（＝Ｏ）Ｃ（ＣＦ３）２ＣＦ２ＣＦ２ＣＦ３、ＣＦ３ＣＦ２ＣＦ２Ｃ（＝Ｏ）ＣＦ（ｉ−Ｃ３Ｆ７）ＣＦ２ＣＦ３、ＣＦ３ＣＦ２ＣＦ２Ｃ（＝Ｏ）ＣＦ（ＣＦ３）ＣＦ２ＣＦ２ＣＦ２ＣＦ２ＣＦ３、ＣＦ３ＣＦ２ＣＦ２Ｃ（＝Ｏ）ＣＦ２ＣＦ２ＣＦ＝ＣＦ２、ＣＦ３ＣＦ２ＣＦ２Ｃ（＝Ｏ）ＣＦ（ＣＦ３）ＣＦ＝ＣＦ２、ＣＦ３ＣＦ２ＣＦ２Ｃ（＝Ｏ）ＣＨ（ＣＦ３）ＣＨＦＣＦ３、ＣＦ３ＣＦ２ＣＦ２Ｃ（＝Ｏ）ＣＨ２ＣＦＢｒＣＦ３、ＣＦ３ＣＦ２ＣＦ２Ｃ（＝Ｏ）ＣＢｒ（ＣＦ３）ＣＨ２Ｆ、ＣＦ３ＣＦ２ＣＦ２Ｃ（＝Ｏ）ＣＨＢｒＣＨＦＣＦ３、ＣＦ３ＣＦ２ＣＦ２Ｃ（＝Ｏ）ＣＨ（ＣＦ３）ＣＨＦＢｒ、ＣＦ３ＣＦ２ＣＦ２Ｃ（＝Ｏ）ＣＨ２ＣＦＣｌＣＦ３、ＣＦ３ＣＦ２ＣＦ２Ｃ（＝Ｏ）ＣＣｌ（ＣＦ３）ＣＨ２Ｆ、ＣＦ３ＣＦ２ＣＦ２Ｃ（＝Ｏ）ＣＨＣｌＣＨＦＣＦ３、ＣＦ３ＣＦ２ＣＦ２Ｃ（＝Ｏ）ＣＨ（ＣＦ３）ＣＨＦＣｌ、ＣＦ３ＣＦ２ＣＦ２Ｃ（＝Ｏ）ＣＨ（ＣＦ３）ＣＨ２Ｆ、ＣＦ３ＣＦ２ＣＦ２Ｃ（＝Ｏ）ＣＦ（ＣＦ３）ＣＨ２Ｆ、ＣＦ３ＣＦ２ＣＦ２Ｃ（＝Ｏ）ＣＨ（ＣＦ３）ＣＨＦ２、ＣＦ３ＣＦ２ＣＦ２Ｃ（＝Ｏ）ＣＨＦＣＦ３、ＣＦ３ＣＦ２ＣＦ２Ｃ（＝Ｏ）ＣＦ２ＣＨＦ２、ＣＦ３ＣＦ２ＣＦ２Ｃ（＝Ｏ）ＣＣｌＦＣＦ３、ＣＦ３ＣＦ２ＣＦ２Ｃ（＝Ｏ）ＣＦ２ＣＦ２Ｃｌ、ＣＦ３ＣＦ２ＣＦ２Ｃ（＝Ｏ）ＣＢｒＦＣＦ３、ＣＦ３ＣＦ２ＣＦ２Ｃ（＝Ｏ）ＣＦ２ＣＦ２Ｂｒ、（ＣＦ３）２ＣＦＣ（＝Ｏ）ＣＦ（ＣＦ３）２、（ＣＦ３）２ＣＦＣ（＝Ｏ）ＣＦ２ＣＦ（ＣＦ３）２、（ＣＦ３）２ＣＦＣ（＝Ｏ）ＣＦ（ＣＦ３）ＣＦ２ＣＦ３、（ＣＦ３）２ＣＦＣ（＝Ｏ）ＣＦ（ＣＦ３）ＣＦ２ＣＦ２ＣＦ３、（ＣＦ３）２ＣＦＣ（＝Ｏ）ＣＦ（ＣＦ２ＣＦ３）２、（ＣＦ３）２ＣＦＣ（＝Ｏ）ＣＦ（ＣＦ３）ＣＦ２ＣＦ２ＣＦ２ＣＦ３、（ＣＦ３）２ＣＦＣ（＝Ｏ）ＣＦ（ＣＦ２ＣＦ３）ＣＦ２ＣＦ２ＣＦ３、（ＣＦ３）２ＣＦＣ（＝Ｏ）Ｃ（ＣＦ３）２ＣＦ２ＣＦ２ＣＦ３、（ＣＦ３）２ＣＦＣ（＝Ｏ）ＣＦ（ｉ−Ｃ３Ｆ７）ＣＦ２ＣＦ３、（ＣＦ３）２ＣＦＣ（＝Ｏ）ＣＦ（ＣＦ３）ＣＦ２ＣＦ２ＣＦ２ＣＦ２ＣＦ３、（ＣＦ３）２ＣＦＣ（＝Ｏ）ＣＦ２ＣＦ２ＣＦ＝ＣＦ２、（ＣＦ３）２Ｃ
ＦＣ（＝Ｏ）ＣＦ（ＣＦ３）ＣＦ＝ＣＦ２、（ＣＦ３）２ＣＦＣ（＝Ｏ）ＣＨ（ＣＦ３）ＣＨＦＣＦ３、（ＣＦ３）２ＣＦＣ（＝Ｏ）ＣＨ２ＣＦＢｒＣＦ３、（ＣＦ３）２ＣＦＣ（＝Ｏ）ＣＢｒ（ＣＦ３）ＣＨ２Ｆ、（ＣＦ３）２ＣＦＣ（＝Ｏ）ＣＨＢｒＣＨＦＣＦ３、（ＣＦ３）２ＣＦＣ（＝Ｏ）ＣＨ（ＣＦ３）ＣＨＦＢｒ、（ＣＦ３）２ＣＦＣ（＝Ｏ）ＣＨ２ＣＦＣｌＣＦ３、（ＣＦ３）２ＣＦＣ（＝Ｏ）ＣＣｌ（ＣＦ３）ＣＨ２Ｆ、（ＣＦ３）２ＣＦＣ（＝Ｏ）ＣＨＣｌＣＨＦＣＦ３、（ＣＦ３）２ＣＦＣ（＝Ｏ）ＣＨ（ＣＦ３）ＣＨＦＣｌ、（ＣＦ３）２ＣＦＣ（＝Ｏ）ＣＨ（ＣＦ３）ＣＨ２Ｆ、（ＣＦ３）２ＣＦＣ（＝Ｏ）ＣＦ（ＣＦ３）ＣＨ２Ｆ、（ＣＦ３）２ＣＦＣ（＝Ｏ）ＣＨ（ＣＦ３）ＣＨＦ２、（ＣＦ３）２ＣＦＣ（＝Ｏ）ＣＨＦＣＦ３、（ＣＦ３）２ＣＦＣ（＝Ｏ）ＣＦ２ＣＨＦ２、（ＣＦ３）２ＣＦＣ（＝Ｏ）ＣＣｌＦＣＦ３、（ＣＦ３）２ＣＦＣ（＝Ｏ）ＣＦ２ＣＦ２Ｃｌ、（ＣＦ３）２ＣＦＣ（＝Ｏ）ＣＢｒＦＣＦ３、（ＣＦ３）２ＣＦＣ（＝Ｏ）ＣＦ２ＣＦ２Ｂｒからなる群から選択される少なくとも１つである、請求項３に記載の組成物。
【請求項５】
前記フッ素含有ケトンが、以下の化合物：
ＣＦ３Ｃ（＝Ｏ）ＣＦ３、ＣＦ３Ｃ（＝Ｏ）ＣＦ２ＣＦ３、ＣＦ３Ｃ（＝Ｏ）ＣＦ（ＣＦ３）２、ＣＦ３Ｃ（＝Ｏ）ＣＦ２ＣＦ（ＣＦ３）２、ＣＦ３Ｃ（＝Ｏ）ＣＦ（ＣＦ２ＣＦ３）２、ＣＦ３Ｃ（＝Ｏ）ＣＦ（ＣＦ２ＣＦ３）ＣＦ２ＣＦ２ＣＦ３、ＣＦ３Ｃ（＝Ｏ）ＣＦ２ＣＦ２ＣＦ＝ＣＦ２、ＣＦ３Ｃ（＝Ｏ）ＣＦ（ＣＦ３）ＣＦ＝ＣＦ２、ＣＦ３Ｃ（＝Ｏ）ＣＨ（ＣＦ３）ＣＨＦＣＦ３、ＣＦ３Ｃ（＝Ｏ）ＣＨ２ＣＦＢｒＣＦ３、ＣＦ３Ｃ（＝Ｏ）ＣＢｒ（ＣＦ３）ＣＨ２Ｆ、ＣＦ３Ｃ（＝Ｏ）ＣＨＢｒＣＨＦＣＦ３、ＣＦ３Ｃ（＝Ｏ）ＣＣｌ（ＣＦ３）ＣＨ２Ｆ、ＣＦ３Ｃ（＝Ｏ）ＣＨＣｌＣＨＦＣＦ３、ＣＦ３Ｃ（＝Ｏ）ＣＨ（ＣＦ３）ＣＨＦＣｌ、ＣＦ３Ｃ（＝Ｏ）ＣＨ（ＣＦ３）ＣＨ２Ｆ、ＣＦ３Ｃ（＝Ｏ）ＣＦ（ＣＦ３）ＣＨ２Ｆ、ＣＦ３Ｃ（＝Ｏ）ＣＨ（ＣＦ３）ＣＨＦ２、ＣＦ３Ｃ（＝Ｏ）ＣＨＦＣＦ３、ＣＦ３Ｃ（＝Ｏ）ＣＣｌＦＣＦ３、ＣＦ３Ｃ（＝Ｏ）ＣＢｒＦＣＦ３、ＣＦ３ＣＦ２Ｃ（＝Ｏ）ＣＦ２ＣＦ３、ＣＦ３ＣＦ２Ｃ（＝Ｏ）ＣＦ（ＣＦ３）２、ＣＦ３ＣＦ２Ｃ（＝Ｏ）ＣＦ２ＣＦ（ＣＦ３）２、ＣＦ３ＣＦ２Ｃ（＝Ｏ）ＣＦ（ＣＦ３）ＣＦ２ＣＦ３、ＣＦ３ＣＦ２Ｃ（＝Ｏ）ＣＦ（ＣＦ２ＣＦ３）２、ＣＦ３ＣＦ２Ｃ（＝Ｏ）ＣＦ（ＣＦ２ＣＦ３）ＣＦ２ＣＦ２ＣＦ３、ＣＦ３ＣＦ２Ｃ（＝Ｏ）ＣＦ２ＣＦ２ＣＦ＝ＣＦ２、ＣＦ３ＣＦ２Ｃ（＝Ｏ）ＣＦ（ＣＦ３）ＣＦ＝ＣＦ２、ＣＦ３ＣＦ２Ｃ（＝Ｏ）ＣＨ（ＣＦ３）ＣＨＦＣＦ３、ＣＦ３ＣＦ２Ｃ（＝Ｏ）ＣＨ２ＣＦＢｒＣＦ３、ＣＦ３ＣＦ２Ｃ（＝Ｏ）ＣＢｒ（ＣＦ３）ＣＨ２Ｆ、ＣＦ３ＣＦ２Ｃ（＝Ｏ）ＣＨＢｒＣＨＦＣＦ３、ＣＦ３ＣＦ２Ｃ（＝Ｏ）ＣＣｌ（ＣＦ３）ＣＨ２Ｆ、ＣＦ３ＣＦ２Ｃ（＝Ｏ）ＣＨＣｌＣＨＦＣＦ３、ＣＦ３ＣＦ２Ｃ（＝Ｏ）ＣＨ（ＣＦ３）ＣＨＦＣｌ、ＣＦ３ＣＦ２Ｃ（＝Ｏ）ＣＨ（ＣＦ３）ＣＨ２Ｆ、ＣＦ３ＣＦ２Ｃ（＝Ｏ）ＣＦ（ＣＦ３）ＣＨ２Ｆ、ＣＦ３ＣＦ２Ｃ（＝Ｏ）ＣＨ（ＣＦ３）ＣＨＦ２、ＣＦ３ＣＦ２Ｃ（＝Ｏ）ＣＨＦＣＦ３、ＣＦ３ＣＦ２Ｃ（＝Ｏ）ＣＣｌＦＣＦ３、ＣＦ３ＣＦ２Ｃ（＝Ｏ）ＣＢｒＦＣＦ３、ＣＦ３ＣＦ２ＣＦ２Ｃ（＝Ｏ）ＣＦ（ＣＦ３）２、ＣＦ３ＣＦ２ＣＦ２Ｃ（＝Ｏ）ＣＦ２ＣＦ（ＣＦ３）２、ＣＦ３ＣＦ２ＣＦ２Ｃ（＝Ｏ）ＣＦ（ＣＦ２ＣＦ３）２、ＣＦ３ＣＦ２ＣＦ２Ｃ（＝Ｏ）ＣＦ（ＣＦ２ＣＦ３）ＣＦ２ＣＦ２ＣＦ３、ＣＦ３ＣＦ２ＣＦ２Ｃ（＝Ｏ）ＣＦ２ＣＦ２ＣＦ＝ＣＦ２、ＣＦ３ＣＦ２ＣＦ２Ｃ（＝Ｏ）ＣＦ（ＣＦ３）ＣＦ＝ＣＦ２、ＣＦ３ＣＦ２ＣＦ２Ｃ（＝Ｏ）ＣＨ（ＣＦ３）ＣＨＦＣＦ３、ＣＦ３ＣＦ２ＣＦ２Ｃ（＝Ｏ）ＣＨ２ＣＦＢｒＣＦ３、ＣＦ３ＣＦ２ＣＦ２Ｃ（＝Ｏ）ＣＢｒ（ＣＦ３）ＣＨ２Ｆ、ＣＦ３ＣＦ２ＣＦ２Ｃ（＝Ｏ）ＣＨＢｒＣＨＦＣＦ３、ＣＦ３ＣＦ２ＣＦ２Ｃ（＝Ｏ）ＣＣｌ（ＣＦ３）ＣＨ２Ｆ、ＣＦ３ＣＦ２ＣＦ２Ｃ（＝Ｏ）ＣＨＣｌＣＨＦＣＦ３、ＣＦ３ＣＦ２ＣＦ２Ｃ（＝Ｏ）ＣＨ（ＣＦ３）ＣＨＦＣｌ、ＣＦ３ＣＦ２ＣＦ２Ｃ（＝Ｏ）ＣＨ（ＣＦ３）ＣＨ２Ｆ、ＣＦ３ＣＦ２ＣＦ２Ｃ（＝Ｏ）ＣＦ（ＣＦ３）ＣＨ２Ｆ、ＣＦ３ＣＦ２ＣＦ２Ｃ（＝Ｏ）ＣＨ（ＣＦ３）ＣＨＦ２、ＣＦ３ＣＦ２ＣＦ２Ｃ（＝Ｏ）ＣＨＦＣＦ３、ＣＦ３ＣＦ２ＣＦ２Ｃ（＝Ｏ）ＣＣｌＦＣＦ３、ＣＦ３ＣＦ２ＣＦ２Ｃ（＝Ｏ）ＣＢｒＦＣＦ３、（ＣＦ３）２ＣＦＣ（＝Ｏ）ＣＦ（ＣＦ３）２、（ＣＦ３）２ＣＦＣ（＝Ｏ）ＣＦ２ＣＦ（ＣＦ３）２、（ＣＦ３）２ＣＦＣ（＝Ｏ）ＣＦ（ＣＦ２ＣＦ３）２、（ＣＦ３）２ＣＦＣ（＝Ｏ）ＣＦ（ＣＦ２ＣＦ３）ＣＦ２ＣＦ２ＣＦ３、（ＣＦ３）２ＣＦＣ（＝Ｏ）ＣＦ２ＣＦ２ＣＦ＝ＣＦ２、（ＣＦ３）２ＣＦＣ（＝Ｏ）ＣＦ（ＣＦ３）ＣＦ＝ＣＦ２、（ＣＦ３）２ＣＦＣ（＝Ｏ）ＣＨ（ＣＦ３）ＣＨＦＣＦ３、（ＣＦ３）２ＣＦＣ（＝Ｏ）ＣＨ２ＣＦＢｒＣＦ３、（ＣＦ３）２ＣＦＣ（＝Ｏ）ＣＢｒ（ＣＦ３）ＣＨ２Ｆ、（ＣＦ３）２ＣＦＣ（＝Ｏ）ＣＨＢｒＣＨＦＣＦ３、（ＣＦ３）２ＣＦＣ（＝Ｏ）ＣＣｌ（ＣＦ３）ＣＨ２Ｆ、（ＣＦ３）２ＣＦＣ（＝Ｏ）ＣＨＣｌＣＨＦＣＦ３、（ＣＦ３）２ＣＦＣ（＝Ｏ）ＣＨ（ＣＦ３）ＣＨＦＣｌ、（ＣＦ３）２ＣＦＣ（＝Ｏ）ＣＨ（ＣＦ３）ＣＨ２Ｆ、（ＣＦ３）２ＣＦＣ（＝Ｏ）ＣＦ（ＣＦ３）ＣＨ２Ｆ、（ＣＦ３）２ＣＦＣ（＝Ｏ）ＣＨ（ＣＦ３）ＣＨＦ２、（ＣＦ３）２ＣＦＣ（＝Ｏ）ＣＨＦＣＦ３、（ＣＦ３）２ＣＦＣ（＝Ｏ）ＣＣｌＦＣＦ３、（ＣＦ３）２ＣＦＣ（＝Ｏ）ＣＢｒＦＣＦ３からなる群から選択される少なくとも１つである、請求項４に記載の組成物。
【請求項６】
前記フッ素含有ケトンが、以下の化合物：
ＣＦ３Ｃ（＝Ｏ）ＣＦ３、ＣＦ３Ｃ（＝Ｏ）ＣＦ２ＣＦ３、ＣＦ３Ｃ（＝Ｏ）ＣＦ（ＣＦ３）２、ＣＦ３Ｃ（＝Ｏ）ＣＦ２ＣＦ（ＣＦ３）２、ＣＦ３Ｃ（＝Ｏ）ＣＦ（ＣＦ３）ＣＦ＝ＣＦ２、ＣＦ３Ｃ（＝Ｏ）ＣＨ（ＣＦ３）ＣＨＦＣＦ３、ＣＦ３Ｃ（＝Ｏ）ＣＨ２ＣＦＢｒＣＦ３、ＣＦ３Ｃ（＝Ｏ）ＣＢｒ（ＣＦ３）ＣＨ２Ｆ、ＣＦ３Ｃ（＝Ｏ）ＣＨＢｒＣＨＦＣＦ３、ＣＦ３Ｃ（＝Ｏ）ＣＣｌ（ＣＦ３）ＣＨ２Ｆ、ＣＦ３Ｃ（＝Ｏ）ＣＨ（ＣＦ３）ＣＨＦＣｌ、ＣＦ３Ｃ（＝Ｏ）ＣＨＦＣＦ３、ＣＦ３Ｃ（＝Ｏ）ＣＣｌＦＣＦ３、ＣＦ３Ｃ（＝Ｏ）ＣＢｒＦＣＦ３、ＣＦ３ＣＦ２Ｃ（＝Ｏ）ＣＦ２ＣＦ３、ＣＦ３ＣＦ２Ｃ（＝Ｏ）ＣＦ（ＣＦ３）２、ＣＦ３ＣＦ２Ｃ（＝Ｏ）ＣＦ（ＣＦ３）ＣＦ＝ＣＦ２、ＣＦ３ＣＦ２Ｃ（＝Ｏ）ＣＨ（ＣＦ３）ＣＨＦＣＦ３、ＣＦ３ＣＦ２Ｃ（＝Ｏ）ＣＨ２ＣＦＢｒＣＦ３、ＣＦ３ＣＦ２Ｃ（＝Ｏ）ＣＢｒ（ＣＦ３）ＣＨ２Ｆ、ＣＦ３ＣＦ２Ｃ（＝Ｏ）ＣＨＢｒＣＨＦＣＦ３、ＣＦ３ＣＦ２Ｃ（＝Ｏ）ＣＣｌ（ＣＦ３）ＣＨ２Ｆ、ＣＦ３ＣＦ２Ｃ（＝Ｏ）ＣＨ（ＣＦ３）ＣＨＦＣｌ、ＣＦ３ＣＦ２Ｃ（＝Ｏ）ＣＨＦＣＦ３、ＣＦ３ＣＦ２Ｃ（＝Ｏ）ＣＣｌＦＣＦ３、ＣＦ３ＣＦ２Ｃ（＝Ｏ）ＣＢｒＦＣＦ３、ＣＦ３ＣＦ２ＣＦ２Ｃ（＝Ｏ）ＣＦ（ＣＦ３）２、ＣＦ３ＣＦ２ＣＦ２Ｃ（＝Ｏ）ＣＦ２ＣＦ（ＣＦ３）２、ＣＦ３ＣＦ２ＣＦ２Ｃ（＝Ｏ）ＣＦ（ＣＦ３）ＣＦ＝ＣＦ２、ＣＦ３ＣＦ２ＣＦ２Ｃ（＝Ｏ）ＣＨ（ＣＦ３）ＣＨＦＣＦ３、ＣＦ３ＣＦ２ＣＦ２Ｃ（＝Ｏ）ＣＨ２ＣＦＢｒＣＦ３、ＣＦ３ＣＦ２ＣＦ２Ｃ（＝Ｏ）ＣＢｒ（ＣＦ３）ＣＨ２Ｆ、ＣＦ３ＣＦ２ＣＦ２Ｃ（＝Ｏ）ＣＨＢｒＣＨＦＣＦ３、ＣＦ３ＣＦ２ＣＦ２Ｃ（＝Ｏ）ＣＣｌ（ＣＦ３）ＣＨ２Ｆ、ＣＦ３ＣＦ２ＣＦ２Ｃ（＝Ｏ）ＣＨ（ＣＦ３）ＣＨＦＣｌ、ＣＦ３ＣＦ２ＣＦ２Ｃ（＝Ｏ）ＣＨＦＣＦ３、ＣＦ３ＣＦ２ＣＦ２Ｃ（＝Ｏ）ＣＣｌＦＣＦ３、ＣＦ３ＣＦ２ＣＦ２Ｃ（＝Ｏ）ＣＢｒＦＣＦ３、（ＣＦ３）２ＣＦＣ（＝Ｏ）ＣＦ（ＣＦ３）２、（ＣＦ３）２ＣＦＣ（＝Ｏ）ＣＦ２ＣＦ（ＣＦ３）２、（ＣＦ３）２ＣＦＣ（＝Ｏ）ＣＦ（ＣＦ３）ＣＦ＝ＣＦ２、（ＣＦ３）２ＣＦＣ（＝Ｏ）ＣＨ（ＣＦ３）ＣＨＦＣＦ３、（ＣＦ３）２ＣＦＣ（＝Ｏ）ＣＨ２ＣＦＢｒＣＦ３、（ＣＦ３）２ＣＦＣ（＝Ｏ）ＣＢｒ（ＣＦ３）ＣＨ２Ｆ、（ＣＦ３）２ＣＦＣ（＝Ｏ）ＣＨＢｒＣＨＦＣＦ３、（ＣＦ３）２ＣＦＣ（＝Ｏ）ＣＣｌ（ＣＦ３）ＣＨ２Ｆ、（ＣＦ３）２ＣＦＣ（＝Ｏ）ＣＨ（ＣＦ３）ＣＨＦＣｌ、（ＣＦ３）２ＣＦＣ（＝Ｏ）ＣＨＦＣＦ３、（ＣＦ３）２ＣＦＣ（＝Ｏ）ＣＣｌＦＣＦ３、（ＣＦ３）２ＣＦＣ（＝Ｏ）ＣＢｒＦＣＦ３からなる群から選択される少なくとも１つである、請求項５に記載の組成物。
【請求項７】
前記フッ素含有ケトンが、以下の化合物：
ＣＦ３Ｃ（＝Ｏ）ＣＦ３、ＣＦ３Ｃ（＝Ｏ）ＣＦ２ＣＦ３、ＣＦ３Ｃ（＝Ｏ）ＣＦ（ＣＦ３）２、ＣＦ３Ｃ（＝Ｏ）ＣＦ２ＣＦ（ＣＦ３）２、ＣＦ３Ｃ（＝Ｏ）ＣＢｒ（ＣＦ３）ＣＨ２Ｆ、ＣＦ３Ｃ（＝Ｏ）ＣＢｒＦＣＦ３、ＣＦ３ＣＦ２Ｃ（＝Ｏ）ＣＦ２ＣＦ３、ＣＦ３ＣＦ２Ｃ（＝Ｏ）ＣＦ（ＣＦ３）２、ＣＦ３ＣＦ２Ｃ（＝Ｏ）ＣＢｒ（ＣＦ３）ＣＨ２Ｆ、ＣＦ３ＣＦ２Ｃ（＝Ｏ）ＣＢｒＦＣＦ３、ＣＦ３ＣＦ２ＣＦ２Ｃ（＝Ｏ）ＣＦ（ＣＦ３）２、ＣＦ３ＣＦ２ＣＦ２Ｃ（＝Ｏ）ＣＦ２ＣＦ（ＣＦ３）２、ＣＦ３ＣＦ２ＣＦ２Ｃ（＝Ｏ）ＣＢｒ（ＣＦ３）ＣＨ２Ｆ、ＣＦ３ＣＦ２ＣＦ２Ｃ（＝Ｏ）ＣＢｒＦＣＦ３、（ＣＦ３）２ＣＦＣ（＝Ｏ）ＣＦ（ＣＦ３）２、（ＣＦ３）２ＣＦＣ（＝Ｏ）ＣＦ２ＣＦ（ＣＦ３）２、（ＣＦ３）２ＣＦＣ（＝Ｏ）ＣＢｒ（ＣＦ３）ＣＨ２Ｆ、（ＣＦ３）２ＣＦＣ（＝Ｏ）ＣＢｒＦＣＦ３からなる群から選択される少なくとも１つである、請求項６に記載の組成物。
【請求項８】
前記フッ素含有ケトンが、ＣＦ３Ｃ（＝Ｏ）ＣＦ（ＣＦ３）ＣＦ３、ＣＦ３ＣＦ２ＣＦ２Ｃ（＝Ｏ）ＣＦ（ＣＦ３）２、ＣＦ３ＣＦ２ＣＦ２Ｃ（＝Ｏ）ＣＦ（ＣＦ３）ＣＦ３、又は（ＣＦ３）２ＣＦＣ（＝Ｏ）ＣＦ（ＣＦ３）２の少なくとも１つである、請求項７に記載の組成物。
【請求項９】
ＣＦ３Ｃ（＝Ｏ）ＣＦ（ＣＦ３）ＣＦ３対ＣＦ３ＣＦ２ＣＦ２Ｃ（＝Ｏ）ＣＦ（ＣＦ３）２対ＣＦ３ＣＦ２ＣＦ２Ｃ（＝Ｏ）ＣＦ（ＣＦ３）ＣＦ３対（ＣＦ３）２ＣＦＣ（＝Ｏ）（ＣＦ３）２の質量比が、０〜３０：０〜５０：０〜７０：０〜６５であり、ＣＦ３Ｃ（＝Ｏ）ＣＦ（ＣＦ３）ＣＦ３、ＣＦ３ＣＦ２ＣＦ２Ｃ（＝Ｏ）ＣＦ（ＣＦ３）２、ＣＦ３ＣＦ２ＣＦ２（＝Ｏ）ＣＦ（ＣＦ３）ＣＦ３、及び（ＣＦ３）２ＣＦＣ（＝Ｏ）ＣＦ（ＣＦ３）２からなる群から選択される少なくとも１つの質量比がゼロよりも大きい、請求項８に記載の組成物。
【請求項１０】
ＣＦ３Ｃ（＝Ｏ）ＣＦ（ＣＦ３）ＣＦ３対ＣＦ３ＣＦ２ＣＦ２Ｃ（＝Ｏ）ＣＦ（ＣＦ３）２対ＣＦ３ＣＦ２ＣＦ２Ｃ（＝Ｏ）ＣＦ（ＣＦ３）ＣＦ３対（ＣＦ３）２ＣＦＣ（＝Ｏ）（ＣＦ３）２の質量比が、０〜２０：０〜４０：０〜３５：０〜６５であり、ＣＦ３Ｃ（＝Ｏ）ＣＦ（ＣＦ３）ＣＦ３、ＣＦ３ＣＦ２ＣＦ２Ｃ（＝Ｏ）ＣＦ（ＣＦ３）２、ＣＦ３ＣＦ２ＣＦ２（＝Ｏ）ＣＦ（ＣＦ３）ＣＦ３、及び（ＣＦ３）２ＣＦＣ（＝Ｏ）ＣＦ（ＣＦ３）２からなる群から選択される少なくとも１つの質量比がゼロよりも大きい、請求項９に記載の組成物。
【請求項１１】
前記エポキシ化合物が、エポキシエタン、１，２−エポキシプロパン、１，２−エポキシブタン、１，２−エポキシシクロペンタン、１，２−エポキシシクロヘキサン、１，２−エポキシイソブタン、１，２−エポキシエチルベンゼン、４−ビニル−１−シクロヘキセンジエポキシド、及び１−ｔｅｒｔ−ブトキシ−２，３−エポキシプロパンからなる群から選択される少なくとも１つであり、
前記ニトロ化合物が、ニトロメタン、ニトロエタン、１−ニトロプロパン、２−ニトロプロパン、ニトロベンゼン、及びｐ−ジニトロフェニルアルカンからなる群から選択される少なくとも１つであり、
前記ヒンダードフェノール化合物が、ビスフェノールＡ、ｐ−ノニルフェノール、チモール、ｐ−メトキシフェノール、ｐ−ベンジルオキシフェノール、カテコール、レゾルシノール、ｐ−ｔｅｒｔ−ブチルカテコール、４，４’−ブチリデンビス（６−ｔｅｒｔ−ブチル−ｍ−クレゾール）、２，２’−メチレンビス（６−ｔｅｒｔ−ブチル−ｐ−クレゾール）、２，６−ジ−ｔｅｒｔ−ブチル−ｐ−クレゾール、２，６−ジ−ｔｅｒｔ−ブチルフェノール、２，４，６−トリス（３’，５’−ジ−ｔｅｒｔ−ブチル−４’−ヒドロキシベンジル）メシチレン、ステアリル３−（３，５−ジ−ｔｅｒｔ−ブチル−４−ヒドロキシフェニル）プロピオネート、１，３，５−トリス（４−ｔｅｒｔ−ブチル−３−ヒドロキシ−２，６−ジメチルベンジル）−トリアジン−２，４，６−（１Ｈ，３Ｈ，５Ｈ）−トリオン、及び２，２’−チオジエチルビス（３−（３，５−ジ−ｔｅｒｔ−ブチル−４−ヒドロキシフェニル）プロピオネート）からなる群から選択される少なくとも１つであり、
前記β−ジケトン化合物が、ジベンゾイルメタン及びステアロイルベンゾイルメタンからなる群から選択される少なくとも１つであり、
前記ホスファイト化合物が、亜リン酸トリメチル、亜リン酸ジエチル、亜リン酸ジイソプロピル、亜リン酸トリイソプロピル、亜リン酸トリブチル、亜リン酸ジフェニル、亜リン酸トリフェニル、亜リン酸ジベンジル、亜リン酸トリベンジル、亜リン酸デシルジフェニル、亜リン酸トリデシル、ジオクタデシルペンタエリトリトールジホスファイト、トリス（ノニルフェニル）ホスファイト、ビス（２，４−ジ−ｔｅｒｔ−ブチルフェニル）ペンタエリトリトールジホスファイト、及びトリス（２，４−ジ−ｔｅｒｔ−ブチルフェニル）ホスファイトからなる群から選択される少なくとも１つであり、
前記サリチレート化合物が、サリチル酸メチル、サリチル酸エチル、サリチル酸ブチル、サリチル酸イソオクチル、４−ｔｅｒｔ−ブチルフェニルサリチレート、及びサリチル酸フェニルからなる群から選択される少なくとも１つであり、
前記シンナメート化合物が、エチル３−ジフェニルアクリレート、ベンジル３−フェニルアクリレート、エチル２−シアノ−３，３−ジフェニルアクリレート、及び２−エチルヘキシル２−シアノ−３，３−ジフェニルアクリレートからなる群から選択される少なくとも１つであり、
前記ヒドロキシベンゾフェノン化合物が、２，４−ジヒドロキシベンゾフェノン、２−ヒドロキシ−４−メトキシベンゾフェノン、２，２’−ジヒドロキシ−メトキシベンゾフェノン、２，２’，４，４’−テトラヒドロキシベンゾフェノン、２，２’−ジヒドロキシ−４，４’−ジメトキシベンゾフェノン、及び２−ヒドロキシ−４−（オクチルオキシ）ベンゾフェノンからなる群から選択される少なくとも１つであり、
前記ヒドロキシ安息香酸化合物が、２，４−ジ−ｔｅｒｔ−ブチルフェニル３，５−ジ−ｔｅｒｔ−ブチル−４−ヒドロキシベンゾエート及びｎ−ヘキサデシル３，５−ジ−ｔｅｒｔ−ブチル−４−ヒドロキシベンゾエートからなる群から選択される少なくとも１つであり、
前記アルコキシメタン化合物が、トリメトキシメタン、トリエトキシメタン、トリ−ｎ−プロポキシメタン、トリ−ｎ−ブトキシメタン、トリペンチルオキシメタン、トリメトキシフェニルメタン、ジエトキシベンジルオキシメタン、ジエトキシアルケニルオキシメタン、及びトリス−（クロロエトキシ）メタンからなる群から選択される少なくとも１つであり、
前記有機チオ化合物が、ジラウリル３，３’−チオジプロピオネート、ジオクタデシル３，３’−チオジプロピオネート、及びジミリスチル３，３’−チオジプロピオネートからなる群から選択される少なくとも１つである、請求項１に記載の組成物。
【請求項１２】
前記エポキシ化合物が、１，２−エポキシプロパン、１，２−エポキシシクロペンタン、１，２−エポキシシクロヘキサン、１，２−エポキシイソブタン、及び１，２−エポキシエチルベンゼンからなる群から選択される少なくとも１つであり、
前記ニトロ化合物が、ニトロベンゼンであり、
前記ヒンダードフェノール化合物が、チモール、カテコール、レゾルシノール、ｐ−ｔｅｒｔ−ブチルカテコール、２，６−ジ−ｔｅｒｔ−ブチル−ｐ−クレゾール、及び２，６−ジ−ｔｅｒｔ−ブチルフェノールからなる群から選択される少なくとも１つであり、
前記β−ジケトン化合物が、ジベンゾイルメタンであり、
前記ホスファイト化合物が、亜リン酸トリメチル、亜リン酸ジエチル、亜リン酸ジイソプロピル、亜リン酸トリブチル、亜リン酸ジフェニル、亜リン酸トリフェニル、亜リン酸ジベンジル、亜リン酸トリベンジル、亜リン酸トリフェニル、亜リン酸トリデシル、及びジオクタデシルペンタエリトリトールジホスファイトからなる群から選択される少なくとも１つであり、
前記サリチレート化合物が、サリチル酸メチル、サリチル酸ブチル、サリチル酸イソオクチル、又はサリチル酸フェニルの少なくとも１つであり、
前記シンナメート化合物が、エチル３−ジフェニルアクリレート、ベンジル３−フェニルアクリレート、又はエチル２−シアノ−３，３−ジフェニルアクリレートの少なくとも１つであり、
前記ヒドロキシベンゾフェノン化合物が、２，４−ジヒドロキシベンゾフェノン、２−ヒドロキシ−４−メトキシベンゾフェノン、２，２’，４，４’−テトラヒドロキシベンゾフェノン、及び２，２’−ジヒドロキシ−４，４’−ジメトキシベンゾフェノンからなる群から選択される少なくとも１つであり、
前記ヒドロキシ安息香酸化合物が、ｎ−ヘキサデシル３，５−ジ−ｔｅｒｔ−ブチル−４−ヒドロキシベンゾエートであり、
前記アルコキシメタン化合物が、トリメトキシメタン、トリエトキシメタン、トリ−ｎ−プロポキシメタン、トリ−ｎ−ブトキシメタン、トリメトキシフェニルメタン、及びトリス−（クロロエトキシ）メタンからなる群から選択される少なくとも１つであり、
前記有機チオ化合物が、ジラウリル３，３’−チオジプロピオネートである、請求項１１に記載の組成物。
【請求項１３】
前記エポキシ化合物が、１，２−エポキシプロパン、１，２−エポキシシクロヘキサン、及び１，２−エポキシエチルベンゼンからなる群から選択される少なくとも１つであり、
前記ヒンダードフェノール化合物が、チモール、カテコール、レゾルシノール、及びｐ−ｔｅｒｔ−ブチルカテコールからなる群から選択される少なくとも１つであり、
前記β−ジケトン化合物が、ジベンゾイルメタンであり、
前記ホスファイト化合物が、亜リン酸トリメチル、亜リン酸ジイソプロピル、亜リン酸ジベンジル、亜リン酸トリベンジル、亜リン酸トリフェニル、及び亜リン酸トリデシルからなる群から選択される少なくとも１つであり、
前記サリチレート化合物が、サリチル酸メチル又はサリチル酸フェニルの少なくとも１つであり、
前記シンナメート化合物が、ベンジル３−フェニルアクリレート又はエチル２−シアノ−３，３−ジフェニルアクリレートの少なくとも１つであり、
前記ヒドロキシベンゾフェノン化合物が、２−ヒドロキシ−４−メトキシベンゾフェノン及び２，２’−ジヒドロキシ−４，４’−ジメトキシベンゾフェノンからなる群から選択される少なくとも１つであり、
前記ヒドロキシ安息香酸化合物が、ｎ−ヘキサデシル３，５−ジ−ｔｅｒｔ−ブチル−４−ヒドロキシベンゾエートであり、
前記アルコキシメタン化合物が、トリメトキシメタン、トリエトキシメタン、トリ−ｎ−プロポキシメタン、トリ−ｎ−ブトキシメタン、トリメトキシフェニルメタン、及びトリス−（クロロエトキシ）メタンからなる群から選択される少なくとも１つであり、
前記有機チオ化合物が、ジラウリル３，３’−チオジプロピオネートである、請求項１２に記載の組成物。
【請求項１４】
前記安定剤対前記フッ素含有ケトンの質量比が、０．５：１０００から１０：１０００までの範囲である、請求項１に記載の組成物。
【請求項１５】
前記安定剤対前記フッ素含有ケトンの質量比が、０．５：１０００から５：１０００までの範囲である、請求項１４に記載の組成物。
【請求項１６】
少なくとも１つのフッ素含有ケトンを含む組成物を安定化するための方法であって、エポキシ化合物、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、アルコキシメタン化合物、又は有機チオ化合物の少なくとも１つを含む化合物安定剤を、前記少なくとも１つのフッ素含有ケトンを含む組成物に、前記化合物安定剤対前記フッ素含有ケトンの質量比が０．１：１０００から５０：１０００までの範囲で添加することを含む方法。
【請求項１７】
少なくとも１つのフッ素含有ケトンを含む組成物の劣化を低減するための方法であって、前記劣化が、消火系、洗浄系、冷却系、空調系、又はヒートポンプ系に水分が存在することに起因し、前記方法が、ヒンダードフェノール化合物、β−ジケトン化合物、ホスファイト化合物、ヒドロキシベンゾフェノン化合物、又はアルコキシメタン化合物の少なくとも１つを含む化合物安定剤を、前記少なくとも１つのフッ素含有ケトンを含む組成物に、前記化合物安定剤対前記フッ素含有ケトンの質量比が０．１：１０００から５０：１０００までの範囲で添加することを含む方法。
【請求項１８】
少なくとも１つのフッ素含有ケトンを含む組成物の劣化を低減するための方法であって、前記劣化が、消火系、洗浄系、冷却系、空調系、又はヒートポンプ系に水分及び金属が存在することに起因し、前記方法が、ヒンダードフェノール化合物、β−ジケトン化合物、ホスファイト化合物、ヒドロキシベンゾフェノン化合物、アルコキシメタン化合物、又は有機チオ化合物の少なくとも１つを含む化合物安定剤を、前記少なくとも１つのフッ素含有ケトンを含む組成物に、前記化合物安定剤対前記フッ素含有ケトンの質量比が０．１：１０００から５０：１０００までの範囲で添加することを含む方法。
【請求項１９】
少なくとも１つのフッ素含有ケトンを含む組成物の劣化を低減するための方法であって、前記劣化が、消火系、洗浄系、冷却系、空調系、又はヒートポンプ系に水分、金属、及び酸が存在することに起因し、前記方法が、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、アルコキシメタン化合物、又は有機チオ化合物の少なくとも１つを含む化合物安定剤を、前記少なくとも１つのフッ素含有ケトンを含む組成物に、前記化合物安定剤対前記フッ素含有ケトンの質量比が０．１：１０００から５０：１０００までの範囲で添加することを含む方法。
【請求項２０】
水分及び光下での、少なくとも１つのフッ素含有ケトンを含む組成物の劣化を低減するための方法であって、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、又はアルコキシメタン化合物の少なくとも１つを含む化合物安定剤を、前記少なくとも１つのフッ素含有ケトンを含む組成物に、前記化合物安定剤対前記フッ素含有ケトンの質量比が０．１：１０００から５０：１０００までの範囲で添加することを含む方法。
【請求項２１】
酸素と、少なくとも１つのフッ素含有ケトンを含む組成物との反応を低減するための方法であって、エポキシ化合物、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、又はアルコキシメタン化合物の少なくとも１つを含む化合物安定剤を、前記少なくとも１つのフッ素含有ケトンを含む組成物に、前記化合物安定剤対前記フッ素含有ケトンの質量比が０．１：１０００から５０：１０００までの範囲で添加することを含む方法。
【発明の詳細な説明】
【技術分野】
【０００１】
本発明は、フッ素含有ケトンを含む組成物に関する。
【背景技術】
【０００２】
フッ素含有ケトン化合物は、オゾン層を破壊せず（ＯＤＰ＝０）、温室効果が低いため（ＧＷＰ＜１５０）、消火、冷却、起泡、及び洗浄等の多くの分野で既存のＨＣＦＣ及びＨＦＣを置換することが期待されている。
【０００３】
フッ素含有ケトン化合物は、単独でも又は混合されていても、動作流体として使用することができる。しかしながら、フッ素含有ケトン化合物は、極端な条件下では不安定である。例えば、フッ素含有ケトン化合物は、空気に曝されている場合、水分、酸素、又はフッ素含有ケトン化合物が反応し得る他の化合物と接触して、容易に劣化又は分解する場合があり、そのような劣化又は分解は、自然光、紫外光、又は金属の存在下で加速する場合がある。また、フッ素含有ケトン化合物は、冷却装置又は他の類似用途の動作流体として使用される場合、極端な条件下では、特に高温では不安定であり得る。この劣化又は分解は、様々な状況に起因し、ある場合では、極端な動作条件下ではフッ素含有ケトン化合物が不安定であることに起因し、別の場合では、大気中への意図しない漏出に起因する場合がある。劣化又は分解に結び付く状況が如何なるものであっても、フッ素含有ケトン化合物の応用に伴う困難は増加する。
【０００４】
フッ素含有ケトン化合物の安定性を調査するために、アルカン、アルケン、及びケトンの安定性を、化合物の構造に基づいて比較する。例えば、プロパン、プロピレン、及びアセトンは、それぞれ４５、４３、及び２６．５のｐＫａを有する。プロパンは非常に安定である。プロピレンは、プロパンとほとんど同じ程度に安定である。アセトンは、プロトンと容易に結合することができるカルボニル基を含むため、アセトン分子全体が電気的に陽性となり、したがって、酸性度が増強され、安定性は、プロパン及びプロピレンほど良好ではない。更に、１−ブロモプロパン、３−ブロモプロペン、及びブロモアセトンを例として挙げる。１−ブロモプロパンは、加熱後にＨＢｒを生成し易い。３−ブロモプロペンは、臭素フリーラジカルが離脱して、アリルフリーラジカルを生成し易い。ブロモアセトンは、非常に不安定であり、その液体色は、しばらくすると無色から紫色に変化し、空気中に長期間置かれると、黒色樹脂性物質になる。
【０００５】
まとめると、フッ素含有ケトン化合物の多くの有益な特性を利用するために、それらの劣化又は分解を低減する方法を見出す必要性が存在する。
【発明の概要】
【０００６】
極端な条件下でフッ素含有ケトンが不安定になる可能性を回避するために、エポキシ化合物、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、アルコキシメタン化合物、及び有機チオ化合物からなる群から選択される少なくとも１つである特定の化合物を添加することにより、フッ素含有ケトンの安定性を向上させることができることを見出した。
【０００７】
したがって、本発明によると、（Ａ）少なくとも１つのフッ素含有ケトン；（Ｂ）エポキシ化合物、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、アルコキシメタン化合物、及び有機チオ化合物からなる群から選択される少なくとも１つである有効量の安定剤を含む組成物が提供される。
【０００８】
また、少なくとも１つのフッ素含有ケトンを含む組成物を安定化するための方法であって、エポキシ化合物、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、アルコキシメタン化合物、又は有機チオ化合物の少なくとも１つを含む有効量の化合物安定剤を、少なくとも１つのフッ素含有ケトンを含む組成物に添加することを含む方法が提供される。
【０００９】
また、少なくとも１つのフッ素含有ケトンを含む組成物の劣化を低減するための方法であって、上記劣化が、消火系、洗浄系、冷却系、空調系、又はヒートポンプ系に水分が存在することに起因し、上記方法が、ヒンダードフェノール化合物、β−ジケトン化合物、ホスファイト化合物、ヒドロキシベンゾフェノン化合物、又はアルコキシメタン化合物の少なくとも１つを含む有効量の化合物安定剤を、少なくとも１つのフッ素含有ケトンを含む組成物に添加することを含む方法が提供される。
【００１０】
また、少なくとも１つのフッ素含有ケトンを含む組成物の劣化を低減するための方法であって、上記劣化が、消火系、洗浄系、冷却系、空調系、又はヒートポンプ系に水分及び金属が存在することに起因し、上記方法が、ヒンダードフェノール化合物、β−ジケトン化合物、ホスファイト化合物、ヒドロキシベンゾフェノン化合物、アルコキシメタン化合物、又は有機チオ化合物の少なくとも１つを含む有効量の化合物安定剤を、少なくとも１つのフッ素含有ケトンを含む組成物に添加することを含む方法が提供される。
【００１１】
また、少なくとも１つのフッ素含有ケトンを含む組成物の劣化を低減するための方法であって、上記劣化が、消火系、洗浄系、冷却系、空調系、又はヒートポンプ系に水分、金属、及び酸が存在することに起因し、上記方法が、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、アルコキシメタン化合物、又は有機チオ化合物の少なくとも１つを含む有効量の化合物安定剤を、少なくとも１つのフッ素含有ケトンを含む組成物に添加することを含む方法が提供される。
【００１２】
また、水分及び光下での、少なくとも１つのフッ素含有ケトンを含む組成物の劣化を低減するための方法であって、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、又はアルコキシメタン化合物の少なくとも１つを含む有効量の化合物安定剤を、少なくとも１つのフッ素含有ケトンを含む組成物に添加することを含む方法が提供される。
【００１３】
また、酸素と、少なくとも１つのフッ素含有ケトンを含む組成物との反応を低減するための方法であって、エポキシ化合物、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、又はアルコキシメタン化合物の少なくとも１つを含む有効量の化合物安定剤を、少なくとも１つのフッ素含有ケトンを含む組成物に添加することを含む方法が提供される。
【００１４】
また、火炎を抑制するための方法であって、少なくとも組成物を、火炎の少なくとも一部分に又は火炎の燃料源に適用することを含み、組成物が、少なくとも１つのフッ素含有ケトンと、エポキシ化合物、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、アルコキシメタン化合物、又は有機チオ化合物の少なくとも１つを含む有効量の安定剤とを含む方法が提供される。
【００１５】
また、火災を消火するための方法であって、少なくとも組成物を適用して、空気を含む気密密閉空間での可燃性物質の発火又は爆燃を防止することを含み、組成物が、少なくとも１つのフッ素含有ケトンと、エポキシ化合物、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、アルコキシメタン化合物、又は有機チオ化合物の少なくとも１つを含む有効量の安定剤とを含む方法が提供される。
【００１６】
また、上記組成物の使用が提供される。上記組成物は、消火剤、伝熱媒体、マグネシウム合金融解保護剤、溶媒、洗浄剤、発泡剤、エアロゾル噴霧剤、絶縁媒体、又は電子エッチングガスとして使用することができる。
【発明を実施するための形態】
【００１７】
本発明は、（Ａ）少なくとも１つのフッ素含有ケトン；及び（Ｂ）エポキシ化合物、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、アルコキシメタン化合物、及び有機チオ化合物からなる群から選択される少なくとも１つである有効量の安定剤を含む組成物を提供する。
【００１８】
こうした組成物は、様々な用途を有しており、例えば、消火剤、伝熱媒体、マグネシウム合金融解保護剤、溶媒、洗浄剤、発泡剤、エアロゾル噴霧剤、絶縁媒体、又は電子エッチングガスとして使用することができる。組成物は、消火剤として使用される場合、例えば、パイプネットワーク消火システム、収納型消火システム、ぶら下げ型消火システム、火災検出チューブ型消火システム、又は携帯型消火器に使用することができる。伝熱媒体として使用される場合、組成物は、例えば、冷蔵庫、冷却器、有機ランキンサイクルデバイス、ヒートポンプ、又はコンテナに使用することができる。
【００１９】
消火剤は、火炎抑制剤とも呼ばれ、火炎を消火又は抑制する揮発性組成物である。
伝熱媒体は、伝熱流体、伝熱組成物、又は伝熱流体組成物とも呼ばれ、熱を熱源から吸熱器へと移動させるために使用される動作流体である。
【００２０】
発泡剤は、ポリマーマトリックスを膨張させて、多孔性構造を形成する揮発性組成物である。
溶媒は、基材から汚れを除去するか、又は物質を基材若しくは支持物質に堆積させる流体である。
【００２１】
エアロゾル噴霧剤は、１気圧を超える圧力を加えて、物質を容器から押し出すための、単一成分又は複数成分の揮発性組成物である。
本明細書で使用される場合、用語「フッ素含有ケトン」は、炭素原子、フッ素原子、及び任意選択で水素原子を含み、分子構造中にカルボニル基を有する化合物を意味する。１つの実施形態では、本発明で使用されるフッ素含有ケトンは、以下の分子構造を有する。
【００２２】
Ｒ１ｆ−Ｃ（＝Ｏ）−Ｒ２ｆ
式中、Ｒ１ｆ及びＲ２ｆは、独立して、ＣａＨｂＦｃＣｌｄＢｒｅから選択され、ａは、１〜７から選択される整数であり、ｂ、ｄ、及びｅは、０〜１５から選択される独立した整数であり、ｃは、１〜１５から選択される整数であり、ｂ＋ｃ＋ｄ＋ｅ≦２ａ＋１である。
【００２３】
別の実施形態では、フッ素含有ケトンは、以下の化合物の少なくとも１つである：ＣＦ３Ｃ（＝Ｏ）ＣＦ３、ＣＦ３Ｃ（＝Ｏ）ＣＦ２ＣＦ３、ＣＦ３Ｃ（＝Ｏ）ＣＦ２ＣＦ２ＣＦ３、ＣＦ３Ｃ（＝Ｏ）ＣＦ（ＣＦ３）２、ＣＦ３Ｃ（＝Ｏ）ＣＦ２ＣＦ２ＣＦ２ＣＦ３、ＣＦ３Ｃ（＝Ｏ）ＣＦ２ＣＦ（ＣＦ３）２、ＣＦ３Ｃ（＝Ｏ）ＣＦ（ＣＦ３）ＣＦ２ＣＦ３、ＣＦ３Ｃ（＝Ｏ）ＣＦ２ＣＦ２ＣＦ２ＣＦ２ＣＦ３、ＣＦ３Ｃ（＝Ｏ）ＣＦ（ＣＦ３）ＣＦ２ＣＦ２ＣＦ３、ＣＦ３Ｃ（＝Ｏ）ＣＦ（ＣＦ２ＣＦ３）２、ＣＦ３Ｃ（＝Ｏ）ＣＦ２ＣＦ２ＣＦ２ＣＦ２ＣＦ２ＣＦ３、ＣＦ３Ｃ（＝Ｏ）ＣＦ（ＣＦ３）ＣＦ２ＣＦ２ＣＦ２ＣＦ３、ＣＦ３Ｃ（＝Ｏ）ＣＦ（ＣＦ２ＣＦ３）ＣＦ２ＣＦ２ＣＦ３、ＣＦ３Ｃ（＝Ｏ）Ｃ（ＣＦ３）２ＣＦ２ＣＦ２ＣＦ３、ＣＦ３Ｃ（＝Ｏ）ＣＦ２ＣＦ（ＣＦ３）ＣＦ２ＣＦ２ＣＦ３、ＣＦ３Ｃ（＝Ｏ）ＣＦ（ｉ−Ｃ３Ｆ７）ＣＦ２ＣＦ３、ＣＦ３Ｃ（＝Ｏ）ＣＦ（ＣＦ３）ＣＦ２ＣＦ（ＣＦ３）２、ＣＦ３Ｃ（＝Ｏ）ＣＦ２ＣＦ２ＣＦ２ＣＦ２ＣＦ２ＣＦ２ＣＦ３、ＣＦ３Ｃ（＝Ｏ）ＣＦ（ＣＦ３）ＣＦ２ＣＦ２ＣＦ２ＣＦ２ＣＦ３、ＣＦ３Ｃ（＝Ｏ）ＣＦ２ＣＦ２ＣＦ＝ＣＦ２、ＣＦ３Ｃ（＝Ｏ）ＣＦ（ＣＦ３）ＣＦ＝ＣＦ２、ＣＦ３Ｃ（＝Ｏ）ＣＨ（ＣＦ３）ＣＨＦＣＦ３、ＣＦ３Ｃ（＝Ｏ）ＣＨ２ＣＦＢｒＣＦ３、ＣＦ３Ｃ（＝Ｏ）ＣＢｒ（ＣＦ３）ＣＨ２Ｆ、ＣＦ３Ｃ（＝Ｏ）ＣＨＢｒＣＨＦＣＦ３、ＣＦ３Ｃ（＝Ｏ）ＣＨ（ＣＦ３）ＣＨＦＢｒ、ＣＦ３Ｃ（＝Ｏ）ＣＨ２ＣＦＣｌＣＦ３、ＣＦ３Ｃ（＝Ｏ）ＣＣｌ（ＣＦ３）ＣＨ２Ｆ、ＣＦ３Ｃ（＝Ｏ）ＣＨＣｌＣＨＦＣＦ３、ＣＦ３Ｃ（＝Ｏ）ＣＨ（ＣＦ３）ＣＨＦＣｌ、ＣＦ３Ｃ（＝Ｏ）ＣＨ２ＣＨＦＣＦ３、ＣＦ３Ｃ（＝Ｏ）ＣＨ（ＣＦ３）ＣＨ２Ｆ、ＣＦ３Ｃ（＝Ｏ）ＣＨ２ＣＦ２ＣＦ３、ＣＦ３Ｃ（＝Ｏ）ＣＦ（ＣＦ３）ＣＨ２Ｆ、ＣＦ３Ｃ（＝Ｏ）ＣＨＦＣＨＦＣＦ３、ＣＦ３Ｃ（＝Ｏ）ＣＨ（ＣＦ３）ＣＨＦ２、ＣＦ３Ｃ（＝Ｏ）ＣＨＦＣＦ３、ＣＦ３Ｃ（＝Ｏ）ＣＦ２ＣＨＦ２、ＣＦ３Ｃ（＝Ｏ）ＣＣｌＦＣＦ３、ＣＦ３Ｃ（＝Ｏ）ＣＦ２ＣＦ２Ｃｌ、ＣＦ３Ｃ（＝Ｏ）ＣＢｒＦＣＦ３、ＣＦ３Ｃ（＝Ｏ）ＣＦ２ＣＦ２Ｂｒ、ＣＦ３ＣＦ２Ｃ（＝Ｏ）ＣＦ２ＣＦ３、ＣＦ３ＣＦ２Ｃ（＝Ｏ）ＣＦ２ＣＦ２ＣＦ３、ＣＦ３ＣＦ２Ｃ（＝Ｏ）ＣＦ（ＣＦ３）２、ＣＦ３ＣＦ２Ｃ（＝Ｏ）ＣＦ２ＣＦ２ＣＦ２ＣＦ３、ＣＦ３ＣＦ２Ｃ（＝Ｏ）ＣＦ２ＣＦ（ＣＦ３）２、ＣＦ３ＣＦ２Ｃ（＝Ｏ）ＣＦ（ＣＦ３）ＣＦ２ＣＦ３、ＣＦ３ＣＦ２Ｃ（＝Ｏ）ＣＦ２ＣＦ２ＣＦ２ＣＦ２ＣＦ３、ＣＦ３ＣＦ２Ｃ（＝Ｏ）ＣＦ（ＣＦ３）ＣＦ２ＣＦ２ＣＦ３、ＣＦ３ＣＦ２Ｃ（＝Ｏ）ＣＦ（ＣＦ２ＣＦ３）２、ＣＦ３ＣＦ２Ｃ（＝Ｏ）ＣＦ２ＣＦ２ＣＦ２ＣＦ２ＣＦ２ＣＦ３、ＣＦ３ＣＦ２Ｃ（＝Ｏ）ＣＦ（ＣＦ３）ＣＦ２ＣＦ２ＣＦ２ＣＦ３、ＣＦ３ＣＦ２Ｃ（＝Ｏ）ＣＦ（ＣＦ２ＣＦ３）ＣＦ２ＣＦ２ＣＦ３、ＣＦ３ＣＦ２Ｃ（＝Ｏ）Ｃ（ＣＦ３）２ＣＦ２ＣＦ２ＣＦ３、ＣＦ３ＣＦ２Ｃ（＝Ｏ）ＣＦ２ＣＦ（ＣＦ３）ＣＦ２ＣＦ２ＣＦ３、ＣＦ３ＣＦ２Ｃ（＝Ｏ）ＣＦ（ｉ−Ｃ３Ｆ７）ＣＦ２ＣＦ３、ＣＦ３ＣＦ２Ｃ（＝Ｏ）ＣＦ（ＣＦ３）ＣＦ２ＣＦ（ＣＦ３）２、ＣＦ３ＣＦ２Ｃ（＝Ｏ）ＣＦ２ＣＦ２ＣＦ２ＣＦ２ＣＦ２ＣＦ２ＣＦ３、ＣＦ３ＣＦ２Ｃ（＝Ｏ）ＣＦ（ＣＦ３）ＣＦ２ＣＦ２ＣＦ２ＣＦ２ＣＦ３、ＣＦ３ＣＦ２Ｃ（＝Ｏ）ＣＦ２ＣＦ２ＣＦ＝ＣＦ２、ＣＦ３ＣＦ２Ｃ（＝Ｏ）ＣＦ（ＣＦ３）ＣＦ＝ＣＦ２、ＣＦ３ＣＦ２Ｃ（＝Ｏ）ＣＨ（ＣＦ３）ＣＨＦＣＦ３、ＣＦ３ＣＦ２Ｃ（＝Ｏ）ＣＨ２ＣＦＢｒＣＦ３、ＣＦ３ＣＦ２Ｃ（＝Ｏ）ＣＢｒ（ＣＦ３）ＣＨ２Ｆ、ＣＦ３ＣＦ２Ｃ（＝Ｏ）ＣＨＢｒＣＨＦＣＦ３、ＣＦ３ＣＦ２Ｃ（＝Ｏ）ＣＨ（ＣＦ３）ＣＨＦＢｒ、ＣＦ３ＣＦ２Ｃ（＝Ｏ）ＣＨ２ＣＦＣｌＣＦ３、ＣＦ３ＣＦ２Ｃ（＝Ｏ）ＣＣｌ（ＣＦ３）ＣＨ２Ｆ、ＣＦ３ＣＦ２Ｃ（＝Ｏ）ＣＨＣｌＣＨＦＣＦ３、ＣＦ３ＣＦ２Ｃ（＝Ｏ）ＣＨ（ＣＦ３）ＣＨＦＣｌ、ＣＦ３ＣＦ２Ｃ（＝Ｏ）ＣＨ２ＣＨＦＣＦ３、ＣＦ３ＣＦ２Ｃ（＝Ｏ）ＣＨ（ＣＦ３）ＣＨ２Ｆ、ＣＦ３ＣＦ２Ｃ（＝Ｏ）ＣＨ２ＣＦ２ＣＦ３、ＣＦ３ＣＦ２Ｃ（＝Ｏ）ＣＦ（ＣＦ３）ＣＨ２Ｆ、ＣＦ３ＣＦ２Ｃ（＝Ｏ）ＣＨＦＣＨＦＣＦ３、ＣＦ３ＣＦ２Ｃ（＝Ｏ）ＣＨ（ＣＦ３）ＣＨＦ２、ＣＦ３ＣＦ２Ｃ（＝Ｏ）ＣＨＦＣＦ３、ＣＦ３ＣＦ２Ｃ（＝Ｏ）ＣＦ２ＣＨＦ２、ＣＦ３ＣＦ２Ｃ（＝Ｏ）ＣＣｌＦＣＦ３、ＣＦ３ＣＦ２Ｃ（＝Ｏ）ＣＦ２ＣＦ２Ｃｌ、ＣＦ３ＣＦ２Ｃ（＝Ｏ）ＣＢｒＦＣＦ３、ＣＦ３ＣＦ２Ｃ（＝Ｏ）ＣＦ２ＣＦ２Ｂｒ、ＣＦ３ＣＦ２ＣＦ２Ｃ（＝Ｏ）ＣＦ２ＣＦ２ＣＦ３、ＣＦ３ＣＦ２ＣＦ２Ｃ（＝Ｏ）ＣＦ（ＣＦ３）２、ＣＦ３ＣＦ２ＣＦ２Ｃ（＝Ｏ）ＣＦ２ＣＦ２ＣＦ２ＣＦ３、ＣＦ３ＣＦ２ＣＦ２Ｃ（＝Ｏ）ＣＦ２ＣＦ（ＣＦ３）２、ＣＦ３ＣＦ２ＣＦ２Ｃ（＝Ｏ）ＣＦ（ＣＦ３）ＣＦ２ＣＦ３、ＣＦ３ＣＦ２ＣＦ２Ｃ（＝Ｏ）ＣＦ２ＣＦ２ＣＦ２ＣＦ２ＣＦ３、ＣＦ３ＣＦ２ＣＦ２Ｃ（＝Ｏ）ＣＦ（ＣＦ３）ＣＦ２ＣＦ２ＣＦ３、ＣＦ３ＣＦ２ＣＦ２Ｃ（＝Ｏ）ＣＦ（ＣＦ２ＣＦ３）２、ＣＦ３ＣＦ２ＣＦ２Ｃ（＝Ｏ）ＣＦ２ＣＦ２ＣＦ２ＣＦ２ＣＦ２ＣＦ３、ＣＦ３ＣＦ２ＣＦ２Ｃ（＝Ｏ）ＣＦ（ＣＦ３）ＣＦ２ＣＦ２ＣＦ２ＣＦ３、ＣＦ３ＣＦ２ＣＦ２Ｃ（＝Ｏ）ＣＦＣＦ２ＣＦ３）ＣＦ２ＣＦ２ＣＦ３、ＣＦ３ＣＦ２ＣＦ２Ｃ（＝Ｏ）Ｃ（ＣＦ３）２ＣＦ２ＣＦ２ＣＦ３、ＣＦ３ＣＦ２ＣＦ２Ｃ（＝Ｏ）ＣＦ２ＣＦ（ＣＦ３）ＣＦ２ＣＦ２ＣＦ３、ＣＦ３ＣＦ２ＣＦ２Ｃ（＝Ｏ）ＣＦ（ｉ−Ｃ３Ｆ７）ＣＦ２ＣＦ３、ＣＦ３ＣＦ２ＣＦ２Ｃ（＝Ｏ）ＣＦ（ＣＦ３）ＣＦ２ＣＦ（ＣＦ３）２、ＣＦ３ＣＦ２ＣＦ２Ｃ（＝Ｏ）ＣＦ２ＣＦ２ＣＦ２ＣＦ２ＣＦ２ＣＦ２ＣＦ３、ＣＦ３ＣＦ２ＣＦ２Ｃ（＝Ｏ）ＣＦ（ＣＦ３）ＣＦ２ＣＦ２ＣＦ２ＣＦ２ＣＦ３、ＣＦ３ＣＦ２ＣＦ２Ｃ（＝Ｏ）ＣＦ２ＣＦ２
ＣＦ＝ＣＦ２、ＣＦ３ＣＦ２ＣＦ２Ｃ（＝Ｏ）ＣＦ（ＣＦ３）ＣＦ＝ＣＦ２、ＣＦ３ＣＦ２ＣＦ２Ｃ（＝Ｏ）ＣＨ（ＣＦ３）ＣＨＦＣＦ３、ＣＦ３ＣＦ２ＣＦ２Ｃ（＝Ｏ）ＣＨ２ＣＦＢｒＣＦ３、ＣＦ３ＣＦ２ＣＦ２Ｃ（＝Ｏ）ＣＢｒ（ＣＦ３）ＣＨ２Ｆ、ＣＦ３ＣＦ２ＣＦ２Ｃ（＝Ｏ）ＣＨＢｒＣＨＦＣＦ３、ＣＦ３ＣＦ２ＣＦ２Ｃ（＝Ｏ）ＣＨ（ＣＦ３）ＣＨＦＢｒ、ＣＦ３ＣＦ２ＣＦ２Ｃ（＝Ｏ）ＣＨ２ＣＦＣｌＣＦ３、ＣＦ３ＣＦ２ＣＦ２Ｃ（＝Ｏ）ＣＣｌ（ＣＦ３）ＣＨ２Ｆ、ＣＦ３ＣＦ２ＣＦ２Ｃ（＝Ｏ）ＣＨＣｌＣＨＦＣＦ３、ＣＦ３ＣＦ２ＣＦ２Ｃ（＝Ｏ）ＣＨ（ＣＦ３）ＣＨＦＣｌ、ＣＦ３ＣＦ２ＣＦ２Ｃ（＝Ｏ）ＣＨ２ＣＨＦＣＦ３、ＣＦ３ＣＦ２ＣＦ２Ｃ（＝Ｏ）ＣＨ（ＣＦ３）ＣＨ２Ｆ、ＣＦ３ＣＦ２ＣＦ２Ｃ（＝Ｏ）ＣＨ２ＣＦ２ＣＦ３、ＣＦ３ＣＦ２ＣＦ２Ｃ（＝Ｏ）ＣＦ（ＣＦ３）ＣＨ２Ｆ、ＣＦ３ＣＦ２ＣＦ２Ｃ（＝Ｏ）ＣＨＦＣＨＦＣＦ３、ＣＦ３ＣＦ２ＣＦ２Ｃ（＝Ｏ）ＣＨ（ＣＦ３）ＣＨＦ２、ＣＦ３ＣＦ２ＣＦ２Ｃ（＝Ｏ）ＣＨＦＣＦ３、ＣＦ３ＣＦ２ＣＦ２Ｃ（＝Ｏ）ＣＦ２ＣＨＦ２、ＣＦ３ＣＦ２ＣＦ２Ｃ（＝Ｏ）ＣＣｌＦＣＦ３、ＣＦ３ＣＦ２ＣＦ２Ｃ（＝Ｏ）ＣＦ２ＣＦ２Ｃｌ、ＣＦ３ＣＦ２ＣＦ２Ｃ（＝Ｏ）ＣＢｒＦＣＦ３、ＣＦ３ＣＦ２ＣＦ２Ｃ（＝Ｏ）ＣＦ２ＣＦ２Ｂｒ、（ＣＦ３）２ＣＦＣ（＝Ｏ）ＣＦ（ＣＦ３）２、（ＣＦ３）２ＣＦＣ（＝Ｏ）ＣＦ２ＣＦ２ＣＦ２ＣＦ３、（ＣＦ３）２ＣＦＣ（＝Ｏ）ＣＦ２ＣＦ（ＣＦ３）２、（ＣＦ３）２ＣＦＣ（＝Ｏ）ＣＦ（ＣＦ３）ＣＦ２ＣＦ３、（ＣＦ３）２ＣＦＣ（＝Ｏ）ＣＦ２ＣＦ２ＣＦ２ＣＦ２ＣＦ３、（ＣＦ３）２ＣＦＣ（＝Ｏ）ＣＦ（ＣＦ３）ＣＦ２ＣＦ２ＣＦ３、（ＣＦ３）２ＣＦＣ（＝Ｏ）ＣＦ（ＣＦ２ＣＦ３）２、（ＣＦ３）２ＣＦＣ（＝Ｏ）ＣＦ２ＣＦ２ＣＦ２ＣＦ２ＣＦ２ＣＦ３、（ＣＦ３）２ＣＦＣ（＝Ｏ）ＣＦ（ＣＦ３）ＣＦ２ＣＦ２ＣＦ２ＣＦ３、（ＣＦ３）２ＣＦＣ（＝Ｏ）ＣＦ（ＣＦ２ＣＦ３）ＣＦ２ＣＦ２ＣＦ３、（ＣＦ３）２ＣＦＣ（＝Ｏ）Ｃ（ＣＦ３）２ＣＦ２ＣＦ２ＣＦ３、（ＣＦ３）２ＣＦＣ（＝Ｏ）ＣＦ２ＣＦ（ＣＦ３）ＣＦ２ＣＦ２ＣＦ３、（ＣＦ３）２ＣＦＣ（＝Ｏ）ＣＦ（ｉ−Ｃ３Ｆ７）ＣＦ２ＣＦ３、（ＣＦ３）２ＣＦＣ（＝Ｏ）ＣＦ（ＣＦ３）ＣＦ２ＣＦ（ＣＦ３）２、（ＣＦ３）２ＣＦＣ（＝Ｏ）ＣＦ２ＣＦ２ＣＦ２ＣＦ２ＣＦ２ＣＦ２ＣＦ３、（ＣＦ３）２ＣＦＣ（＝Ｏ）ＣＦ（ＣＦ３）ＣＦ２ＣＦ２ＣＦ２ＣＦ２ＣＦ３、（ＣＦ３）２ＣＦＣ（＝Ｏ）ＣＦ２ＣＦ２ＣＦ＝ＣＦ２、（ＣＦ３）２ＣＦＣ（＝Ｏ）ＣＦ（ＣＦ３）ＣＦ＝ＣＦ２、（ＣＦ３）２ＣＦＣ（＝Ｏ）ＣＨ（ＣＦ３）ＣＨＦＣＦ３、（ＣＦ３）２ＣＦＣ（＝Ｏ）ＣＨ２ＣＦＢｒＣＦ３、（ＣＦ３）２ＣＦＣ（＝Ｏ）ＣＢｒ（ＣＦ３）ＣＨ２Ｆ、（ＣＦ３）２ＣＦＣ（＝Ｏ）ＣＨＢｒＣＨＦＣＦ３、（ＣＦ３）２ＣＦＣ（＝Ｏ）ＣＨ（ＣＦ３）ＣＨＦＢｒ、（ＣＦ３）２ＣＦＣ（＝Ｏ）ＣＨ２ＣＦＣｌＣＦ３、（ＣＦ３）２ＣＦＣ（＝Ｏ）ＣＣｌ（ＣＦ３）ＣＨ２Ｆ、（ＣＦ３）２ＣＦＣ（＝Ｏ）ＣＨＣｌＣＨＦＣＦ３、（ＣＦ３）２ＣＦＣ（＝Ｏ）ＣＨ（ＣＦ３）ＣＨＦＣｌ、（ＣＦ３）２ＣＦＣ（＝Ｏ）ＣＨ２ＣＨＦＣＦ３、（ＣＦ３）２ＣＦＣ（＝Ｏ）ＣＨ（ＣＦ３）ＣＨ２Ｆ、（ＣＦ３）２ＣＦＣ（＝Ｏ）ＣＨ２ＣＦ２ＣＦ３、（ＣＦ３）２ＣＦＣ（＝Ｏ）ＣＦ（ＣＦ３）ＣＨ２Ｆ、（ＣＦ３）２ＣＦＣ（＝Ｏ）ＣＨＦＣＨＦＣＦ３、（ＣＦ３）２ＣＦＣ（＝Ｏ）ＣＨ（ＣＦ３）ＣＨＦ２、（ＣＦ３）２ＣＦＣ（＝Ｏ）ＣＨＦＣＦ３、（ＣＦ３）２ＣＦＣ（＝Ｏ）ＣＦ２ＣＨＦ２、（ＣＦ３）２ＣＦＣ（＝Ｏ）ＣＣｌＦＣＦ３、（ＣＦ３）２ＣＦＣ（＝Ｏ）ＣＦ２ＣＦ２Ｃｌ、（ＣＦ３）２ＣＦＣ（＝Ｏ）ＣＢｒＦＣＦ３、（ＣＦ３）２ＣＦＣ（＝Ｏ）ＣＦ２ＣＦ２Ｂｒ。
【００２４】
別の実施形態では、フッ素含有ケトンは、以下の化合物の少なくとも１つである：ＣＦ３Ｃ（＝Ｏ）ＣＦ３、ＣＦ３Ｃ（＝Ｏ）ＣＦ２ＣＦ３、ＣＦ３Ｃ（＝Ｏ）ＣＦ（ＣＦ３）２、ＣＦ３Ｃ（＝Ｏ）ＣＦ２ＣＦ（ＣＦ３）２、ＣＦ３Ｃ（＝Ｏ）ＣＦ（ＣＦ３）ＣＦ２ＣＦ３、ＣＦ３Ｃ（＝Ｏ）ＣＦ（ＣＦ３）ＣＦ２ＣＦ２ＣＦ３、ＣＦ３Ｃ（＝Ｏ）ＣＦ（ＣＦ２ＣＦ３）２、ＣＦ３Ｃ（＝Ｏ）ＣＦ（ＣＦ３）ＣＦ２ＣＦ２ＣＦ２ＣＦ３、ＣＦ３Ｃ（＝Ｏ）ＣＦ（ＣＦ２ＣＦ３）ＣＦ２ＣＦ２ＣＦ３、ＣＦ３Ｃ（＝Ｏ）Ｃ（ＣＦ３）２ＣＦ２ＣＦ２ＣＦ３、ＣＦ３Ｃ（＝Ｏ）ＣＦ（ｉ−Ｃ３Ｆ７）ＣＦ２ＣＦ３、ＣＦ３Ｃ（＝Ｏ）ＣＦ（ＣＦ３）ＣＦ２ＣＦ２ＣＦ２ＣＦ２ＣＦ３、ＣＦ３Ｃ（＝Ｏ）ＣＦ２ＣＦ２ＣＦ＝ＣＦ２、ＣＦ３Ｃ（＝Ｏ）ＣＦ（ＣＦ３）ＣＦ＝ＣＦ２、ＣＦ３Ｃ（＝Ｏ）ＣＨ（ＣＦ３）ＣＨＦＣＦ３、ＣＦ３Ｃ（＝Ｏ）ＣＨ２ＣＦＢｒＣＦ３、ＣＦ３Ｃ（＝Ｏ）ＣＢｒ（ＣＦ３）ＣＨ２Ｆ、ＣＦ３Ｃ（＝Ｏ）ＣＨＢｒＣＨＦＣＦ３、ＣＦ３Ｃ（＝Ｏ）ＣＨ（ＣＦ３）ＣＨＦＢｒ、ＣＦ３Ｃ（＝Ｏ）ＣＨ２ＣＦＣｌＣＦ３、ＣＦ３Ｃ（＝Ｏ）ＣＣｌ（ＣＦ３）ＣＨ２Ｆ、ＣＦ３Ｃ（＝Ｏ）ＣＨＣｌＣＨＦＣＦ３、ＣＦ３Ｃ（＝Ｏ）ＣＨ（ＣＦ３）ＣＨＦＣｌ、ＣＦ３Ｃ（＝Ｏ）ＣＨ（ＣＦ３）ＣＨ２Ｆ、ＣＦ３Ｃ（＝Ｏ）ＣＦ（ＣＦ３）ＣＨ２Ｆ、ＣＦ３Ｃ（＝Ｏ）ＣＨ（ＣＦ３）ＣＨＦ２、ＣＦ３Ｃ（＝Ｏ）ＣＨＦＣＦ３、ＣＦ３Ｃ（＝Ｏ）ＣＦ２ＣＨＦ２、ＣＦ３Ｃ（＝Ｏ）ＣＣｌＦＣＦ３、ＣＦ３Ｃ（＝Ｏ）ＣＦ２ＣＦ２Ｃｌ、ＣＦ３Ｃ（＝Ｏ）ＣＢｒＦＣＦ３、ＣＦ３Ｃ（＝Ｏ）ＣＦ２ＣＦ２Ｂｒ、ＣＦ３ＣＦ２Ｃ（＝Ｏ）ＣＦ２ＣＦ３、ＣＦ３ＣＦ２Ｃ（＝Ｏ）ＣＦ（ＣＦ３）２、ＣＦ３ＣＦ２Ｃ（＝Ｏ）ＣＦ２ＣＦ（ＣＦ３）２、ＣＦ３ＣＦ２Ｃ（＝Ｏ）ＣＦ（ＣＦ３）ＣＦ２ＣＦ３、ＣＦ３ＣＦ２Ｃ（＝Ｏ）ＣＦ（ＣＦ３）ＣＦ２ＣＦ２ＣＦ３、ＣＦ３ＣＦ２Ｃ（＝Ｏ）ＣＦ（ＣＦ２ＣＦ３）２、ＣＦ３ＣＦ２Ｃ（＝Ｏ）ＣＦ（ＣＦ３）ＣＦ２ＣＦ２ＣＦ２ＣＦ３、ＣＦ３ＣＦ２Ｃ（＝Ｏ）ＣＦ（ＣＦ２ＣＦ３）ＣＦ２ＣＦ２ＣＦ３、ＣＦ３ＣＦ２Ｃ（＝Ｏ）Ｃ（ＣＦ３）２ＣＦ２ＣＦ２ＣＦ３、ＣＦ３ＣＦ２Ｃ（＝Ｏ）ＣＦ（ｉ−Ｃ３Ｆ７）ＣＦ２ＣＦ３、ＣＦ３ＣＦ２Ｃ（＝Ｏ）ＣＦ（ＣＦ３）ＣＦ２ＣＦ２ＣＦ２ＣＦ２ＣＦ３、ＣＦ３ＣＦ２Ｃ（＝Ｏ）ＣＦ２ＣＦ２ＣＦ＝ＣＦ２、ＣＦ３ＣＦ２Ｃ（＝Ｏ）ＣＦ（ＣＦ３）ＣＦ＝ＣＦ２、ＣＦ３ＣＦ２Ｃ（＝Ｏ）ＣＨ（ＣＦ３）ＣＨＦＣＦ３、ＣＦ３ＣＦ２Ｃ（＝Ｏ）ＣＨ２ＣＦＢｒＣＦ３、ＣＦ３ＣＦ２Ｃ（＝Ｏ）ＣＢｒ（ＣＦ３）ＣＨ２Ｆ、ＣＦ３ＣＦ２Ｃ（＝Ｏ）ＣＨＢｒＣＨＦＣＦ３、Ｆ３ＣＦ２Ｃ（＝Ｏ）ＣＨ（ＣＦ３）ＣＨＦＢｒ、ＣＦ３ＣＦ２Ｃ（＝Ｏ）ＣＨ２ＣＦＣｌＣＦ３、ＣＦ３ＣＦ２Ｃ（＝Ｏ）ＣＣｌ（ＣＦ３）ＣＨ２Ｆ、ＣＦ３ＣＦ２Ｃ（＝Ｏ）ＣＨＣｌＣＨＦＣＦ３、ＣＦ３ＣＦ２Ｃ（＝Ｏ）ＣＨ（ＣＦ３）ＣＨＦＣｌ、ＣＦ３ＣＦ２Ｃ（＝Ｏ）ＣＨ（ＣＦ３）ＣＨ２Ｆ、ＣＦ３ＣＦ２Ｃ（＝Ｏ）ＣＦ（ＣＦ３）ＣＨ２Ｆ、ＣＦ３ＣＦ２Ｃ（＝Ｏ）ＣＨ（ＣＦ３）ＣＨＦ２、ＣＦ３ＣＦ２Ｃ（＝Ｏ）ＣＨＦＣＦ３、ＣＦ３ＣＦ２Ｃ（＝Ｏ）ＣＦ２ＣＨＦ２、ＣＦ３ＣＦ２Ｃ（＝Ｏ）ＣＣｌＦＣＦ３、ＣＦ３ＣＦ２Ｃ（＝Ｏ）ＣＦ２ＣＦ２Ｃｌ、ＣＦ３ＣＦ２Ｃ（＝Ｏ）ＣＢｒＦＣＦ３、ＣＦ３ＣＦ２Ｃ（＝Ｏ）ＣＦ２ＣＦ２Ｂｒ、ＣＦ３ＣＦ２ＣＦ２Ｃ（＝Ｏ）ＣＦ（ＣＦ３）２、ＣＦ３ＣＦ２ＣＦ２Ｃ（＝Ｏ）ＣＦ２ＣＦ（ＣＦ３）２、ＣＦ３ＣＦ２ＣＦ２Ｃ（＝Ｏ）ＣＦ（ＣＦ３）ＣＦ２ＣＦ３、ＣＦ３ＣＦ２ＣＦ２Ｃ（＝Ｏ）ＣＦ（ＣＦ３）ＣＦ２ＣＦ２ＣＦ３、ＣＦ３ＣＦ２ＣＦ２Ｃ（＝Ｏ）ＣＦ（ＣＦ２ＣＦ３）２、ＣＦ３ＣＦ２ＣＦ２Ｃ（＝Ｏ）ＣＦ（ＣＦ３）ＣＦ２ＣＦ２ＣＦ２ＣＦ３、ＣＦ３ＣＦ２ＣＦ２Ｃ（＝Ｏ）ＣＦ（ＣＦ２ＣＦ３）ＣＦ２ＣＦ２ＣＦ３、ＣＦ３ＣＦ２ＣＦ２Ｃ（＝Ｏ）Ｃ（ＣＦ３）２ＣＦ２ＣＦ２ＣＦ３、ＣＦ３ＣＦ２ＣＦ２Ｃ（＝Ｏ）ＣＦ（ｉ−Ｃ３Ｆ７）ＣＦ２ＣＦ３、ＣＦ３ＣＦ２ＣＦ２Ｃ（＝Ｏ）ＣＦ（ＣＦ３）ＣＦ２ＣＦ２ＣＦ２ＣＦ２ＣＦ３、ＣＦ３ＣＦ２ＣＦ２Ｃ（＝Ｏ）ＣＦ２ＣＦ２ＣＦ＝ＣＦ２、ＣＦ３ＣＦ２ＣＦ２Ｃ（＝Ｏ）ＣＦ（ＣＦ３）ＣＦ＝ＣＦ２、ＣＦ３ＣＦ２ＣＦ２Ｃ（＝Ｏ）ＣＨ（ＣＦ３）ＣＨＦＣＦ３、ＣＦ３ＣＦ２ＣＦ２Ｃ（＝Ｏ）ＣＨ２ＣＦＢｒＣＦ３、ＣＦ３ＣＦ２ＣＦ２Ｃ（＝Ｏ）ＣＢｒ（ＣＦ３）ＣＨ２Ｆ、ＣＦ３ＣＦ２ＣＦ２Ｃ（＝Ｏ）ＣＨＢｒＣＨＦＣＦ３、ＣＦ３ＣＦ２ＣＦ２Ｃ（＝Ｏ）ＣＨ（ＣＦ３）ＣＨＦＢｒ、ＣＦ３ＣＦ２ＣＦ２Ｃ（＝Ｏ）ＣＨ２ＣＦＣｌＣＦ３、ＣＦ３ＣＦ２ＣＦ２Ｃ（＝Ｏ）ＣＣｌ（ＣＦ３）ＣＨ２Ｆ、ＣＦ３ＣＦ２ＣＦ２Ｃ（＝Ｏ）ＣＨＣｌＣＨＦＣＦ３、ＣＦ３ＣＦ２ＣＦ２Ｃ（＝Ｏ）ＣＨ（ＣＦ３）ＣＨＦＣｌ、ＣＦ３ＣＦ２ＣＦ２Ｃ（＝Ｏ）ＣＨ（ＣＦ３）ＣＨ２Ｆ、ＣＦ３ＣＦ２ＣＦ２Ｃ（＝Ｏ）ＣＦ（ＣＦ３）ＣＨ２Ｆ、ＣＦ３ＣＦ２ＣＦ２Ｃ（＝Ｏ）ＣＨ（ＣＦ３）ＣＨＦ２、ＣＦ３ＣＦ２ＣＦ２Ｃ（＝Ｏ）ＣＨＦＣＦ３、ＣＦ３ＣＦ２ＣＦ２Ｃ（＝Ｏ）ＣＦ２ＣＨＦ２、ＣＦ３ＣＦ２ＣＦ２Ｃ（＝Ｏ）ＣＣｌＦＣＦ３、ＣＦ３ＣＦ２ＣＦ２Ｃ（＝Ｏ）ＣＦ２ＣＦ２Ｃｌ、ＣＦ３ＣＦ２ＣＦ２Ｃ（＝Ｏ）ＣＢｒＦＣＦ３、ＣＦ３ＣＦ２ＣＦ２Ｃ（＝Ｏ）ＣＦ２ＣＦ２Ｂｒ、（ＣＦ３）２ＣＦＣ（＝Ｏ）ＣＦ（ＣＦ３）２、（ＣＦ３）２ＣＦＣ（＝Ｏ）ＣＦ２ＣＦ（ＣＦ３）２、（ＣＦ３）２ＣＦＣ（＝Ｏ）ＣＦ（ＣＦ３）ＣＦ２ＣＦ３、（ＣＦ３）２ＣＦＣ（＝Ｏ）ＣＦ（ＣＦ３）ＣＦ２ＣＦ２ＣＦ３、（ＣＦ３）２ＣＦＣ（＝Ｏ）ＣＦ（ＣＦ２ＣＦ３）２、（ＣＦ３）２ＣＦＣ（＝Ｏ）ＣＦ（ＣＦ３）ＣＦ２ＣＦ２ＣＦ２ＣＦ３、（ＣＦ３）２ＣＦＣ（＝Ｏ）ＣＦ（ＣＦ２ＣＦ３）ＣＦ２ＣＦ２ＣＦ３、（ＣＦ３）２ＣＦＣ（＝Ｏ）Ｃ（ＣＦ３）２ＣＦ２ＣＦ２ＣＦ３、（ＣＦ３）２ＣＦＣ（＝Ｏ）ＣＦ（ｉ−Ｃ３Ｆ７）ＣＦ２ＣＦ３、（ＣＦ３）２ＣＦＣ（＝Ｏ）ＣＦ（ＣＦ３）ＣＦ２ＣＦ２ＣＦ２ＣＦ２ＣＦ３、（ＣＦ３）２Ｃ
ＦＣ（＝Ｏ）ＣＦ２ＣＦ２ＣＦ＝ＣＦ２、（ＣＦ３）２ＣＦＣ（＝Ｏ）ＣＦ（ＣＦ３）ＣＦ＝ＣＦ２、（ＣＦ３）２ＣＦＣ（＝Ｏ）ＣＨ（ＣＦ３）ＣＨＦＣＦ３、（ＣＦ３）２ＣＦＣ（＝Ｏ）ＣＨ２ＣＦＢｒＣＦ３、（ＣＦ３）２ＣＦＣ（＝Ｏ）ＣＢｒ（ＣＦ３）ＣＨ２Ｆ、（ＣＦ３）２ＣＦＣ（＝Ｏ）ＣＨＢｒＣＨＦＣＦ３、（ＣＦ３）２ＣＦＣ（＝Ｏ）ＣＨ（ＣＦ３）ＣＨＦＢｒ、（ＣＦ３）２ＣＦＣ（＝Ｏ）ＣＨ２ＣＦＣｌＣＦ３、（ＣＦ３）２ＣＦＣ（＝Ｏ）ＣＣｌ（ＣＦ３）ＣＨ２Ｆ、（ＣＦ３）２ＣＦＣ（＝Ｏ）ＣＨＣｌＣＨＦＣＦ３、（ＣＦ３）２ＣＦＣ（＝Ｏ）ＣＨ（ＣＦ３）ＣＨＦＣｌ、（ＣＦ３）２ＣＦＣ（＝Ｏ）ＣＨ（ＣＦ３）ＣＨ２Ｆ、（ＣＦ３）２ＣＦＣ（＝Ｏ）ＣＦ（ＣＦ３）ＣＨ２Ｆ、（ＣＦ３）２ＣＦＣ（＝Ｏ）ＣＨ（ＣＦ３）ＣＨＦ２、（ＣＦ３）２ＣＦＣ（＝Ｏ）ＣＨＦＣＦ３、（ＣＦ３）２ＣＦＣ（＝Ｏ）ＣＦ２ＣＨＦ２、（ＣＦ３）２ＣＦＣ（＝Ｏ）ＣＣｌＦＣＦ３、（ＣＦ３）２ＣＦＣ（＝Ｏ）ＣＦ２ＣＦ２Ｃｌ、（ＣＦ３）２ＣＦＣ（＝Ｏ）ＣＢｒＦＣＦ３、（ＣＦ３）２ＣＦＣ（＝Ｏ）ＣＦ２ＣＦ２Ｂｒ。
【００２５】
別の実施形態では、フッ素含有ケトンは、以下の化合物の少なくとも１つである：ＣＦ３Ｃ（＝Ｏ）ＣＦ３、ＣＦ３Ｃ（＝Ｏ）ＣＦ２ＣＦ３、ＣＦ３Ｃ（＝Ｏ）ＣＦ（ＣＦ３）２、ＣＦ３Ｃ（＝Ｏ）ＣＦ２ＣＦ（ＣＦ３）２、ＣＦ３Ｃ（＝Ｏ）ＣＦ（ＣＦ２ＣＦ３）２、ＣＦ３Ｃ（＝Ｏ）ＣＦ（ＣＦ２ＣＦ３）ＣＦ２ＣＦ２ＣＦ３、ＣＦ３Ｃ（＝Ｏ）ＣＦ２ＣＦ２ＣＦ＝ＣＦ２、ＣＦ３Ｃ（＝Ｏ）ＣＦ（ＣＦ３）ＣＦ＝ＣＦ２、ＣＦ３Ｃ（＝Ｏ）ＣＨ（ＣＦ３）ＣＨＦＣＦ３、ＣＦ３Ｃ（＝Ｏ）ＣＨ２ＣＦＢｒＣＦ３、ＣＦ３Ｃ（＝Ｏ）ＣＢｒ（ＣＦ３）ＣＨ２Ｆ、ＣＦ３Ｃ（＝Ｏ）ＣＨＢｒＣＨＦＣＦ３、ＣＦ３Ｃ（＝Ｏ）ＣＣｌ（ＣＦ３）ＣＨ２Ｆ、ＣＦ３Ｃ（＝Ｏ）ＣＨＣｌＣＨＦＣＦ３、ＣＦ３Ｃ（＝Ｏ）ＣＨ（ＣＦ３）ＣＨＦＣｌ、ＣＦ３Ｃ（＝Ｏ）ＣＨ（ＣＦ３）ＣＨ２Ｆ、ＣＦ３Ｃ（＝Ｏ）ＣＦ（ＣＦ３）ＣＨ２Ｆ、ＣＦ３Ｃ（＝Ｏ）ＣＨ（ＣＦ３）ＣＨＦ２、ＣＦ３Ｃ（＝Ｏ）ＣＨＦＣＦ３、ＣＦ３Ｃ（＝Ｏ）ＣＣｌＦＣＦ３、ＣＦ３Ｃ（＝Ｏ）ＣＢｒＦＣＦ３、ＣＦ３ＣＦ２Ｃ（＝Ｏ）ＣＦ２ＣＦ３、ＣＦ３ＣＦ２Ｃ（＝Ｏ）ＣＦ（ＣＦ３）２、ＣＦ３ＣＦ２Ｃ（＝Ｏ）ＣＦ２ＣＦ（ＣＦ３）２、ＣＦ３ＣＦ２Ｃ（＝Ｏ）ＣＦ（ＣＦ３）ＣＦ２ＣＦ３、ＣＦ３ＣＦ２Ｃ（＝Ｏ）ＣＦ（ＣＦ２ＣＦ３）２、ＣＦ３ＣＦ２Ｃ（＝Ｏ）ＣＦ（ＣＦ２ＣＦ３）ＣＦ２ＣＦ２ＣＦ３、ＣＦ３ＣＦ２Ｃ（＝Ｏ）ＣＦ２ＣＦ２ＣＦ＝ＣＦ２、ＣＦ３ＣＦ２Ｃ（＝Ｏ）ＣＦ（ＣＦ３）ＣＦ＝ＣＦ２、ＣＦ３ＣＦ２Ｃ（＝Ｏ）ＣＨ（ＣＦ３）ＣＨＦＣＦ３、ＣＦ３ＣＦ２Ｃ（＝Ｏ）ＣＨ２ＣＦＢｒＣＦ３、ＣＦ３ＣＦ２Ｃ（＝Ｏ）ＣＢｒ（ＣＦ３）ＣＨ２Ｆ、ＣＦ３ＣＦ２Ｃ（＝Ｏ）ＣＨＢｒＣＨＦＣＦ３、ＣＦ３ＣＦ２Ｃ（＝Ｏ）ＣＣｌ（ＣＦ３）ＣＨ２Ｆ、ＣＦ３ＣＦ２Ｃ（＝Ｏ）ＣＨＣｌＣＨＦＣＦ３、ＣＦ３ＣＦ２Ｃ（＝Ｏ）ＣＨ（ＣＦ３）ＣＨＦＣｌ、ＣＦ３ＣＦ２Ｃ（＝Ｏ）ＣＨ（ＣＦ３）ＣＨ２Ｆ、ＣＦ３ＣＦ２Ｃ（＝Ｏ）ＣＦ（ＣＦ３）ＣＨ２Ｆ、ＣＦ３ＣＦ２Ｃ（＝Ｏ）ＣＨ（ＣＦ３）ＣＨＦ２、ＣＦ３ＣＦ２Ｃ（＝Ｏ）ＣＨＦＣＦ３、ＣＦ３ＣＦ２Ｃ（＝Ｏ）ＣＣｌＦＣＦ３、ＣＦ３ＣＦ２Ｃ（＝Ｏ）ＣＢｒＦＣＦ３、ＣＦ３ＣＦ２ＣＦ２Ｃ（＝Ｏ）ＣＦ（ＣＦ３）２、ＣＦ３ＣＦ２ＣＦ２Ｃ（＝Ｏ）ＣＦ２ＣＦ（ＣＦ３）２、ＣＦ３ＣＦ２ＣＦ２Ｃ（＝Ｏ）ＣＦ（ＣＦ２ＣＦ３）２、ＣＦ３ＣＦ２ＣＦ２Ｃ（＝Ｏ）ＣＦ（ＣＦ２ＣＦ３）ＣＦ２ＣＦ２ＣＦ３、ＣＦ３ＣＦ２ＣＦ２Ｃ（＝Ｏ）ＣＦ２ＣＦ２ＣＦ＝ＣＦ２、ＣＦ３ＣＦ２ＣＦ２Ｃ（＝Ｏ）ＣＦ（ＣＦ３）ＣＦ＝ＣＦ２、ＣＦ３ＣＦ２ＣＦ２Ｃ（＝Ｏ）ＣＨ（ＣＦ３）ＣＨＦＣＦ３、ＣＦ３ＣＦ２ＣＦ２Ｃ（＝Ｏ）ＣＨ２ＣＦＢｒＣＦ３、ＣＦ３ＣＦ２ＣＦ２Ｃ（＝Ｏ）ＣＢｒ（ＣＦ３）ＣＨ２Ｆ、ＣＦ３ＣＦ２ＣＦ２Ｃ（＝Ｏ）ＣＨＢｒＣＨＦＣＦ３、ＣＦ３ＣＦ２ＣＦ２Ｃ（＝Ｏ）ＣＣｌ（ＣＦ３）ＣＨ２Ｆ、ＣＦ３ＣＦ２ＣＦ２Ｃ（＝Ｏ）ＣＨＣｌＣＨＦＣＦ３、ＣＦ３ＣＦ２ＣＦ２Ｃ（＝Ｏ）ＣＨ（ＣＦ３）ＣＨＦＣｌ、ＣＦ３ＣＦ２ＣＦ２Ｃ（＝Ｏ）ＣＨ（ＣＦ３）ＣＨ２Ｆ、ＣＦ３ＣＦ２ＣＦ２Ｃ（＝Ｏ）ＣＦ（ＣＦ３）ＣＨ２Ｆ、ＣＦ３ＣＦ２ＣＦ２Ｃ（＝Ｏ）ＣＨ（ＣＦ３）ＣＨＦ２、ＣＦ３ＣＦ２ＣＦ２Ｃ（＝Ｏ）ＣＨＦＣＦ３、ＣＦ３ＣＦ２ＣＦ２Ｃ（＝Ｏ）ＣＣｌＦＣＦ３、ＣＦ３ＣＦ２ＣＦ２Ｃ（＝Ｏ）ＣＢｒＦＣＦ３、（ＣＦ３）２ＣＦＣ（＝Ｏ）ＣＦ（ＣＦ３）２、（ＣＦ３）２ＣＦＣ（＝Ｏ）ＣＦ２ＣＦ（ＣＦ３）２、（ＣＦ３）２ＣＦＣ（＝Ｏ）ＣＦ（ＣＦ２ＣＦ３）２、（ＣＦ３）２ＣＦＣ（＝Ｏ）ＣＦ（ＣＦ２ＣＦ３）ＣＦ２ＣＦ２ＣＦ３、（ＣＦ３）２ＣＦＣ（＝Ｏ）ＣＦ２ＣＦ２ＣＦ＝ＣＦ２、（ＣＦ３）２ＣＦＣ（＝Ｏ）ＣＦ（ＣＦ３）ＣＦ＝ＣＦ２、（ＣＦ３）２ＣＦＣ（＝Ｏ）ＣＨ（ＣＦ３）ＣＨＦＣＦ３、（ＣＦ３）２ＣＦＣ（＝Ｏ）ＣＨ２ＣＦＢｒＣＦ３、（ＣＦ３）２ＣＦＣ（＝Ｏ）ＣＢｒ（ＣＦ３）ＣＨ２Ｆ、（ＣＦ３）２ＣＦＣ（＝Ｏ）ＣＨＢｒＣＨＦＣＦ３、（ＣＦ３）２ＣＦＣ（＝Ｏ）ＣＣｌ（ＣＦ３）ＣＨ２Ｆ、（ＣＦ３）２ＣＦＣ（＝Ｏ）ＣＨＣｌＣＨＦＣＦ３、（ＣＦ３）２ＣＦＣ（＝Ｏ）ＣＨ（ＣＦ３）ＣＨＦＣｌ、（ＣＦ３）２ＣＦＣ（＝Ｏ）ＣＨ（ＣＦ３）ＣＨ２Ｆ、（ＣＦ３）２ＣＦＣ（＝Ｏ）ＣＦ（ＣＦ３）ＣＨ２Ｆ、（ＣＦ３）２ＣＦＣ（＝Ｏ）ＣＨ（ＣＦ３）ＣＨＦ２、（ＣＦ３）２ＣＦＣ（＝Ｏ）ＣＨＦＣＦ３、（ＣＦ３）２ＣＦＣ（＝Ｏ）ＣＣｌＦＣＦ３、（ＣＦ３）２ＣＦＣ（＝Ｏ）ＣＢｒＦＣＦ３。
【００２６】
別の実施形態では、フッ素含有ケトンは、以下の化合物の少なくとも１つである：ＣＦ３Ｃ（＝Ｏ）ＣＦ３、ＣＦ３Ｃ（＝Ｏ）ＣＦ２ＣＦ３、ＣＦ３Ｃ（＝Ｏ）ＣＦ（ＣＦ３）２、ＣＦ３Ｃ（＝Ｏ）ＣＦ２ＣＦ（ＣＦ３）２、ＣＦ３Ｃ（＝Ｏ）ＣＦ（ＣＦ３）ＣＦ＝ＣＦ２、ＣＦ３Ｃ（＝Ｏ）ＣＨ（ＣＦ３）ＣＨＦＣＦ３、ＣＦ３Ｃ（＝Ｏ）ＣＨ２ＣＦＢｒＣＦ３、ＣＦ３Ｃ（＝Ｏ）ＣＢｒ（ＣＦ３）ＣＨ２Ｆ、ＣＦ３Ｃ（＝Ｏ）ＣＨＢｒＣＨＦＣＦ３、ＣＦ３Ｃ（＝Ｏ）ＣＣｌ（ＣＦ３）ＣＨ２Ｆ、ＣＦ３Ｃ（＝Ｏ）ＣＨ（ＣＦ３）ＣＨＦＣｌ、ＣＦ３Ｃ（＝Ｏ）ＣＨＦＣＦ３、ＣＦ３Ｃ（＝Ｏ）ＣＣｌＦＣＦ３、ＣＦ３Ｃ（＝Ｏ）ＣＢｒＦＣＦ３、ＣＦ３ＣＦ２Ｃ（＝Ｏ）ＣＦ２ＣＦ３、ＣＦ３ＣＦ２Ｃ（＝Ｏ）ＣＦ（ＣＦ３）２、ＣＦ３ＣＦ２Ｃ（＝Ｏ）ＣＦ（ＣＦ３）ＣＦ＝ＣＦ２、ＣＦ３ＣＦ２Ｃ（＝Ｏ）ＣＨ（ＣＦ３）ＣＨＦＣＦ３、ＣＦ３ＣＦ２Ｃ（＝Ｏ）ＣＨ２ＣＦＢｒＣＦ３、ＣＦ３ＣＦ２Ｃ（＝Ｏ）ＣＢｒ（ＣＦ３）ＣＨ２Ｆ、ＣＦ３ＣＦ２Ｃ（＝Ｏ）ＣＨＢｒＣＨＦＣＦ３、ＣＦ３ＣＦ２Ｃ（＝Ｏ）ＣＣｌ（ＣＦ３）ＣＨ２Ｆ、ＣＦ３ＣＦ２Ｃ（＝Ｏ）ＣＨ（ＣＦ３）ＣＨＦＣｌ、ＣＦ３ＣＦ２Ｃ（＝Ｏ）ＣＨＦＣＦ３、ＣＦ３ＣＦ２Ｃ（＝Ｏ）ＣＣｌＦＣＦ３、ＣＦ３ＣＦ２Ｃ（＝Ｏ）ＣＢｒＦＣＦ３、ＣＦ３ＣＦ２ＣＦ２Ｃ（＝Ｏ）ＣＦ（ＣＦ３）２、ＣＦ３ＣＦ２ＣＦ２Ｃ（＝Ｏ）ＣＦ２ＣＦ（ＣＦ３）２、ＣＦ３ＣＦ２ＣＦ２Ｃ（＝Ｏ）ＣＦ（ＣＦ３）ＣＦ＝ＣＦ２、ＣＦ３ＣＦ２ＣＦ２Ｃ（＝Ｏ）ＣＨ（ＣＦ３）ＣＨＦＣＦ３、ＣＦ３ＣＦ２ＣＦ２Ｃ（＝Ｏ）ＣＨ２ＣＦＢｒＣＦ３、ＣＦ３ＣＦ２ＣＦ２Ｃ（＝Ｏ）ＣＢｒ（ＣＦ３）ＣＨ２Ｆ、ＣＦ３ＣＦ２ＣＦ２Ｃ（＝Ｏ）ＣＨＢｒＣＨＦＣＦ３、ＣＦ３ＣＦ２ＣＦ２Ｃ（＝Ｏ）ＣＣｌ（ＣＦ３）ＣＨ２Ｆ、ＣＦ３ＣＦ２ＣＦ２Ｃ（＝Ｏ）ＣＨ（ＣＦ３）ＣＨＦＣｌ、ＣＦ３ＣＦ２ＣＦ２Ｃ（＝Ｏ）ＣＨＦＣＦ３、ＣＦ３ＣＦ２ＣＦ２Ｃ（＝Ｏ）ＣＣｌＦＣＦ３、ＣＦ３ＣＦ２ＣＦ２Ｃ（＝Ｏ）ＣＢｒＦＣＦ３、（ＣＦ３）２ＣＦＣ（＝Ｏ）ＣＦ（ＣＦ３）２、（ＣＦ３）２ＣＦＣ（＝Ｏ）ＣＦ２ＣＦ（ＣＦ３）２、（ＣＦ３）２ＣＦＣ（＝Ｏ）ＣＦ（ＣＦ３）ＣＦ＝ＣＦ２、（ＣＦ３）２ＣＦＣ（＝Ｏ）ＣＨ（ＣＦ３）ＣＨＦＣＦ３、（ＣＦ３）２ＣＦＣ（＝Ｏ）ＣＨ２ＣＦＢｒＣＦ３、（ＣＦ３）２ＣＦＣ（＝Ｏ）ＣＢｒ（ＣＦ３）ＣＨ２Ｆ、（ＣＦ３）２ＣＦＣ（＝Ｏ）ＣＨＢｒＣＨＦＣＦ３、（ＣＦ３）２ＣＦＣ（＝Ｏ）ＣＣｌ（ＣＦ３）ＣＨ２Ｆ、（ＣＦ３）２ＣＦＣ（＝Ｏ）ＣＨ（ＣＦ３）ＣＨＦＣｌ、（ＣＦ３）２ＣＦＣ（＝Ｏ）ＣＨＦＣＦ３、（ＣＦ３）２ＣＦＣ（＝Ｏ）ＣＣｌＦＣＦ３、（ＣＦ３）２ＣＦＣ（＝Ｏ）ＣＢｒＦＣＦ３。
【００２７】
別の実施形態では、フッ素含有ケトンは、以下の化合物の少なくとも１つである：ＣＦ３Ｃ（＝Ｏ）ＣＦ３、ＣＦ３Ｃ（＝Ｏ）ＣＦ２ＣＦ３、ＣＦ３Ｃ（＝Ｏ）ＣＦ（ＣＦ３）２、ＣＦ３Ｃ（＝Ｏ）ＣＦ２ＣＦ（ＣＦ３）２、ＣＦ３Ｃ（＝Ｏ）ＣＢｒ（ＣＦ３）ＣＨ２Ｆ、ＣＦ３Ｃ（＝Ｏ）ＣＢｒＦＣＦ３、ＣＦ３ＣＦ２Ｃ（＝Ｏ）ＣＦ２ＣＦ３、ＣＦ３ＣＦ２Ｃ（＝Ｏ）ＣＦ（ＣＦ３）２、ＣＦ３ＣＦ２Ｃ（＝Ｏ）ＣＢｒ（ＣＦ３）ＣＨ２Ｆ、ＣＦ３ＣＦ２Ｃ（＝Ｏ）ＣＢｒＦＣＦ３、ＣＦ３ＣＦ２ＣＦ２Ｃ（＝Ｏ）ＣＦ（ＣＦ３）２、ＣＦ３ＣＦ２ＣＦ２Ｃ（＝Ｏ）ＣＦ２ＣＦ（ＣＦ３）２、ＣＦ３ＣＦ２ＣＦ２Ｃ（＝Ｏ）ＣＢｒ（ＣＦ３）ＣＨ２Ｆ、ＣＦ３ＣＦ２ＣＦ２Ｃ（＝Ｏ）ＣＢｒＦＣＦ３、（ＣＦ３）２ＣＦＣ（＝Ｏ）ＣＦ（ＣＦ３）２、（ＣＦ３）２ＣＦＣ（＝Ｏ）ＣＦ２ＣＦ（ＣＦ３）２、（ＣＦ３）２ＣＦＣ（＝Ｏ）ＣＢｒ（ＣＦ３）ＣＨ２Ｆ、（ＣＦ３）２ＣＦＣ（＝Ｏ）ＣＢｒＦＣＦ３。
【００２８】
別の実施形態では、フッ素含有ケトンは、ＣＦ３Ｃ（＝Ｏ）ＣＦ（ＣＦ３）ＣＦ３、ＣＦ３ＣＦ２ＣＦ２Ｃ（＝Ｏ）ＣＦ（ＣＦ３）２、ＣＦ３ＣＦ２ＣＦ２Ｃ（＝Ｏ）ＣＦ（ＣＦ３）ＣＦ３、及び（ＣＦ３）２ＣＦＣ（＝Ｏ）ＣＦ（ＣＦ３）２からなる群から選択される少なくとも１つである。フッ素含有ケトンが、ＣＦ３Ｃ（＝Ｏ）ＣＦ（ＣＦ３）ＣＦ３、ＣＦ３ＣＦ２ＣＦ２Ｃ（＝Ｏ）ＣＦ（ＣＦ３）２、ＣＦ３ＣＦ２ＣＦ２Ｃ（＝Ｏ）ＣＦ（ＣＦ３）ＣＦ３、及び（ＣＦ３）２ＣＦＣ（ＣＦ３）２からなる群から選択される少なくとも１つである場合、これら４つのフッ素含有ケトンは、任意の質量比で混合されていてもよい。好ましくは、ＣＦ３Ｃ（＝Ｏ）ＣＦ（ＣＦ３）ＣＦ３対ＣＦ３ＣＦ２ＣＦ２Ｃ（＝Ｏ）ＣＦ（ＣＦ３）２対ＣＦ３ＣＦ２ＣＦ２Ｃ（＝Ｏ）ＣＦ（ＣＦ３）ＣＦ３対（ＣＦ３）２ＣＦＣ（＝Ｏ）ＣＦ）２の質量比は、０〜３０：０〜５０：０〜７０：０〜６５であり、ＣＦ３Ｃ（＝Ｏ）ＣＦ（ＣＦ３）ＣＦ３、ＣＦ３ＣＦ２ＣＦ２Ｃ（＝Ｏ）ＣＦ（ＣＦ３）２、ＣＦ３ＣＦ２ＣＦ２（＝Ｏ）ＣＦ（ＣＦ３）ＣＦ３、及び（ＣＦ３）２ＣＦＣ（＝Ｏ）ＣＦ（ＣＦ３）２からなる群から選択される少なくとも１つの質量比は、ゼロよりも大きい。より好ましくは、ＣＦ３Ｃ（＝Ｏ）ＣＦ（ＣＦ３）ＣＦ３対ＣＦ３ＣＦ２ＣＦ２Ｃ（＝Ｏ）ＣＦ（ＣＦ３）２対ＣＦ３ＣＦ２ＣＦ２Ｃ（＝Ｏ）ＣＦ（ＣＦ３）ＣＦ３対（ＣＦ３）２ＣＦＣ（＝Ｏ）ＣＦ（ＣＦ３）２の質量比は、０〜２０：０〜４０：０〜３５：０〜６５であり、ＣＦ３Ｃ（＝Ｏ）ＣＦ（ＣＦ３）ＣＦ３、ＣＦ３ＣＦ２ＣＦ２Ｃ（＝Ｏ）ＣＦ（ＣＦ３）２、ＣＦ３ＣＦ２ＣＦ２Ｃ（＝Ｏ）ＣＦ（ＣＦ３）ＣＦ３、及び（ＣＦ３）２ＣＦＣ（＝Ｏ）ＣＦ（ＣＦ３）２からなる群から選択される少なくとも１つの質量比は、ゼロよりも大きい。
【００２９】
代表的なフッ素含有ケトンは、これらに限定されないが、表１に列挙されている化合物が挙げられる。
【００３０】
【表１】
0006730428.tif 000002
【００３１】
本発明の安定剤は、エポキシ化合物、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、アルコキシメタン化合物、及び有機チオ化合物からなる群から選択される少なくとも１つである。
【００３２】
ここで、エポキシ化合物は、当業者が理解するところのエポキシ化合物であり、一般的に、以下の構造（Ｉ）を有する鎖式化合物であり、式中、Ｒ１、Ｒ２、Ｒ３、及びＲ４は、個別の置換基であってもよく、又は環式置換基、例えば１、２−エポキシシクロペンタン又はそれと同様の構造を有する化合物であってもよい。
【００３３】
【化１】
0006730428.tif 000003
【００３４】
１つの実施形態では、エポキシ化合物は、エポキシエタン、１，２−エポキシプロパン、１，２−エポキシブタン、１，２−エポキシシクロペンタン、１，２−エポキシシクロヘキサン、１，２−エポキシイソブタン、１，２−エポキシエチルベンゼン、４−ビニル−１−シクロヘキセンジエポキシド、及び１−ｔｅｒｔ−ブトキシ−２，３−エポキシプロパンからなる群から選択される少なくとも１つである。別の実施形態では、エポキシ化合物は、１，２−エポキシプロパン、１，２−エポキシシクロペンタン、１，２−エポキシシクロヘキサン、１，２−エポキシイソブタン、及び１，２−エポキシエチルベンゼンからなる群から選択される少なくとも１つである。別の実施形態では、エポキシ化合物は、１，２−エポキシプロパン、１，２−エポキシシクロヘキサン、及び１，２−エポキシエチルベンゼンからなる群から選択される少なくとも１つである。
【００３５】
ニトロ化合物は、当業者が理解するところのニトロ化合物であり、一般的にはニトロ基（−ＮＯ２）を含む化合物である。１つの実施形態では、ニトロ化合物は、ニトロメタン、ニトロエタン、１−ニトロプロパン、２−ニトロプロパン、ニトロベンゼン、及びｐ−ジニトロフェニルアルカンからなる群から選択される少なくとも１つである。別の実施形態では、ニトロ化合物は、ニトロメタン又はニトロベンゼンの少なくとも１つである。別の実施形態では、ニトロ化合物は、ニトロメタンである。
【００３６】
ヒンダードフェノール化合物は、当業者が理解するところのヒンダードフェノール化合物であり、一般的には、抗酸化効果を有するフェノール化合物である。１つの実施形態では、ヒンダードフェノール化合物は、ビスフェノールＡ、ｐ−ノニルフェノール、チモール、ｐ−メトキシフェノール、ｐ−ベンジルオキシフェノール、カテコール、レゾルシノール、ｐ−ｔｅｒｔ−ブチルカテコール、４，４’−ブチリデンビス（６−ｔｅｒｔ−ブチル−ｍ−クレゾール）、２，２’−メチレンビス（６−ｔｅｒｔ−ブチル−ｐ−クレゾール）、２，６−ジ−ｔｅｒｔ−ブチル−ｐ−クレゾール、２，６−ジ−ｔｅｒｔ−ブチルフェノール、２，４，６−トリス（３’，５’−ジ−ｔｅｒｔ−ブチル−４’−ヒドロキシベンジル）メシチレン、ステアリル３−（３，５−ジ−ｔｅｒｔ−ブチル−４−ヒドロキシフェニル）プロピオネート、１，３，５−トリス（４−ｔｅｒｔ−ブチル−３−ヒドロキシ−２，６−ジメチルベンジル）−トリアジン−２，４，６−（１Ｈ，３Ｈ，５Ｈ）−トリオン、及び２，２’−チオジエチルビス（３−（３，５−ジ−ｔｅｒｔ−ブチル−４−ヒドロキシフェニル）プロピオネート）からなる群から選択される少なくとも１つである。別の実施形態では、ヒンダードフェノール化合物は、チモール、カテコール、レゾルシノール、ｐ−ｔｅｒｔ−ブチルカテコール、２，６−ジ−ｔｅｒｔ−ブチル−ｐ−クレゾール、及び２，６−ジ−ｔｅｒｔ−ブチルフェノールからなる群から選択される少なくとも１つである。別の実施形態では、ヒンダードフェノール化合物は、チモール、カテコール、レゾルシノール、及びｐ−ｔｅｒｔ−ブチルカテコールからなる群から選択される少なくとも１つである。
【００３７】
β−ジケトン化合物は、当業者が理解するところのβ−ジケトンであり、一般的には、カルボニル基のβ位置に別のカルボニル基を有する化合物、すなわち（−Ｃ（＝Ｏ）−ＣＨ２−Ｃ（＝Ｏ）−）基を含む化合物である。１つの実施形態では、β−ジケトン化合物は、ジベンゾイルメタン及びステアロイルベンゾイルメタンからなる群から選択される少なくとも１つである。別の実施形態では、β−ジケトン化合物は、ジベンゾイルメタンである。
【００３８】
ホスファイト化合物は、当業者が理解するところのホスファイト化合物であり、一般的に、Ｐ（ＯＲ１）（ＯＲ２）ＯＲ３の構造を有する化合物であり、式中、Ｒ１、Ｒ２、及びＲ３は、鎖構造又は環構造を有する置換基である。１つの実施形態では、ホスファイト化合物は、亜リン酸トリメチル、亜リン酸ジエチル、亜リン酸ジイソプロピル、亜リン酸トリイソプロピル、亜リン酸トリブチル、亜リン酸ジフェニル、亜リン酸トリフェニル、亜リン酸ジベンジル、亜リン酸トリベンジル、亜リン酸デシルジフェニル、亜リン酸トリデシル、ジオクタデシルペンタエリトリトールジホスファイト、トリス（ノニルフェニル）ホスファイト、ビス（２，４−ジ−ｔｅｒｔ−ブチルフェニル）ペンタエリトリトールジホスファイト、及びトリス（２，４−ジ−ｔｅｒｔ−ブチルフェニル）ホスファイトからなる群から選択される少なくとも１つである。別の実施形態では、ホスファイト化合物は、亜リン酸トリメチル、亜リン酸ジエチル、亜リン酸ジイソプロピル、亜リン酸トリブチル、亜リン酸ジフェニル、亜リン酸トリフェニル、亜リン酸ジベンジル、亜リン酸トリベンジル、亜リン酸トリフェニル、亜リン酸トリデシル、及びジオクタデシルペンタエリトリトールジホスファイトからなる群から選択される少なくとも１つである。別の実施形態では、ホスファイト化合物は、亜リン酸トリメチル、亜リン酸ジイソプロピル、亜リン酸ジベンジル、亜リン酸トリベンジル、亜リン酸トリフェニル、及び亜リン酸トリデシルからなる群から選択される少なくとも１つである。
【００３９】
サリチレート化合物は、当業者が理解するところのサリチレート化合物であり、一般的に、以下の構造（ＩＩ）を有する化合物であり、式中、Ｒは、鎖構造又は環構造を有する置換基である。
【００４０】
【化２】
0006730428.tif 000004
【００４１】
１つの実施形態では、サリチレート化合物は、サリチル酸メチル、サリチル酸エチル、サリチル酸ブチル、サリチル酸イソオクチル、４−ｔｅｒｔ−ブチルフェニルサリチレート、及びサリチル酸フェニルからなる群から選択される少なくとも１つである。別の実施形態では、サリチレート化合物は、サリチル酸メチル、サリチル酸ブチル、サリチル酸イソオクチル、又はサリチル酸フェニルの少なくとも１つである。別の実施形態では、サリチレート化合物は、サリチル酸メチル又はサリチル酸フェニルの少なくとも１つである。
【００４２】
シンナメート化合物は、当業者が理解するところのシンナメート化合物であり、一般的に、ＰｈＣＨ＝ＣＨＣＯ２Ｒ構造を有する化合物であり、式中、Ｒは、鎖構造又は環構造を有する置換基である。１つの実施形態では、シンナメート化合物は、エチル３−ジフェニルアクリレート、ベンジル３−フェニルアクリレート、エチル２−シアノ−３，３−ジフェニルアクリレート、及び２−エチルヘキシル２−シアノ−３，３−ジフェニルアクリレートからなる群から選択される少なくとも１つである。別の実施形態では、シンナメート化合物は、エチル３−ジフェニルアクリレート、ベンジル３−フェニルアクリレート、又はエチル２−シアノ−３，３−ジフェニルアクリレートの少なくとも１つである。別の実施形態では、シンナメート化合物は、ベンジル３−ジフェニルアクリレート又はエチル２−シアノ−３，３−ジフェニルアクリレートの少なくとも１つである。
【００４３】
ヒドロキシベンゾフェノン化合物は、当業者が理解するところの２−ヒドロキシベンゾフェノン化合物であり、一般的に、以下の構造（ＩＩＩ）を有する化合物であり、式中、Ｒ１及びＲ２は、鎖構造又は環構造を有する置換基であり、置換基は、ベンゼン環の任意の位置にあってもよい。
【００４４】
【化３】
0006730428.tif 000005
【００４５】
１つの実施形態では、ヒドロキシベンゾフェノン化合物は、２，４−ジヒドロキシベンゾフェノン、２−ヒドロキシ−４−メトキシベンゾフェノン、２，２’−ジヒドロキシ−メトキシベンゾフェノン、２，２’，４，４’−テトラヒドロキシベンゾフェノン、２，２’−ジヒドロキシ−４，４’−ジメトキシベンゾフェノン、及び２−ヒドロキシ−４−（オクチルオキシ）ベンゾフェノンからなる群から選択される少なくとも１つである。別の実施形態では、ヒドロキシベンゾフェノン化合物は、２，４−ジヒドロキシベンゾフェノン、２−ヒドロキシ−４−メトキシベンゾフェノン、２，２’，４，４’−テトラヒドロキシベンゾフェノン、及び２，２’−ジヒドロキシ−４，４’−ジメトキシベンゾフェノンからなる群から選択される少なくとも１つである。別の実施形態では、ヒドロキシベンゾフェノン化合物は、２−ヒドロキシ−４−メトキシベンゾフェノン及び２，２’−ジヒドロキシ−４，４’−ジメトキシベンゾフェノンからなる群から選択される少なくとも１つである。
【００４６】
ヒドロキシ安息香酸化合物は、当業者が理解するところの４−ヒドロキシ安息香酸及びそれらに由来するカルボン酸エステル化合物であり、一般的に、以下の構造（ＩＶ）を有し、式中、Ｒ１及びＲ２は、鎖構造又は環状構造を有する置換基であり、Ｒ１置換基は、ベンゼン環の任意の位置にあってもよい。
【００４７】
【化４】
0006730428.tif 000006
【００４８】
１つの実施形態では、ヒドロキシ安息香酸化合物は、２，４−ジ−ｔｅｒｔ−ブチルフェニル３，５−ジ−ｔｅｒｔ−ブチル−４−ヒドロキシベンゾエート、及びｎ−ヘキサデシル３，５−ジ−ｔｅｒｔ−ブチル−４−ヒドロキシベンゾエートからなる群から選択される少なくとも１つである。別の実施形態では、ヒドロキシ安息香酸化合物は、ｎ−ヘキサデシル３，５−ジ−ｔｅｒｔ−ブチル−４−ヒドロキシベンゾエートである。
【００４９】
アルコキシメタン化合物は、当業者が理解するところのアルコキシメタン化合物であり、一般的に、ＨＣ（ＯＲ１）（ＯＲ２）ＯＲ３の構造を有する化合物であり、式中Ｒ１、Ｒ２、及びＲ３は、鎖構造又は環構造を有する置換基である。１つの実施形態では、アルコキシメタン化合物は、トリメトキシメタン、トリエトキシメタン、トリ−ｎ−プロポキシメタン、トリ−ｎ−ブトキシメタン、トリペンチルオキシメタン、トリメトキシフェニルメタン、ジエトキシベンジルオキシメタン、ジエトキシアルケニルオキシメタン、及びトリス−（クロロエトキシ）メタンからなる群から選択される少なくとも１つである。別の実施形態では、アルコキシメタン化合物は、トリメトキシメタン、トリエトキシメタン、トリ−ｎ−プロポキシメタン、トリ−ｎ−ブトキシメタン、トリメトキシフェニルメタン、及びトリス−（クロロエトキシ）メタンからなる群から選択される少なくとも１つである。別の実施形態では、アルコキシメタン化合物は、トリメトキシメタン、トリエトキシメタン、トリ−ｎ−プロポキシメタン、トリメトキシフェニルメタン、及びトリス−（クロロエトキシ）メタンからなる群から選択される少なくとも１つである。
【００５０】
有機チオ化合物は、当業者が理解するところの有機チオジプロピオン酸化合物であり、一般的に、（Ｒ１−ＯＣ（＝Ｏ）−ＣＨ２ＣＨ２−Ｓ−ＣＨ２ＣＨ２−Ｃ（＝Ｏ）Ｏ−Ｒ２）の構造を有し、式中、Ｒ１及びＲ２は、鎖構造又は環構造を有する置換基である。１つの実施形態では、有機チオ化合物は、ジラウリル３，３’−チオジプロピオネート、ジオクタデシル３，３’−チオジプロピオネート、及びジミリスチル３，３’−チオジプロピオネートからなる群から選択される少なくとも１つである。別の実施形態では、有機チオ化合物は、ジラウリル３，３’−チオジプロピオネートである。
【００５１】
代表的な安定剤は、これらに限定されないが、表２に列挙されている化合物が挙げられる。
【００５２】
【表２−１】
0006730428.tif 000007
【００５３】
【表２−２】
0006730428.tif 000008
【００５４】
本発明は、安定剤を提供する。安定剤のあるものは、種々の立体配置異性体又は立体異性体として存在する。同じ化合物の単一異性体又は複数異性体を任意の比率で使用して、安定剤配合物を生産することができる。加えて、所与の化合物の単一又は複数異性体を、多くの他の化合物と任意の比率で組み合わせて、安定剤配合物として作用させてもよい。本発明は、単一立体配置異性体、単一立体異性体、又はそれらの任意の組合せ若しくは混合物を全て含むことが意図されている。
【００５５】
本発明の組成物には、任意の好適な有効量の安定剤を使用することができる。「有効量」は、少なくとも１つのフッ素含有ケトンを含む組成物に添加される場合、安定剤を含まない組成物と同等の使用性能の低下を引き起こす劣化をもたらすことがない、本発明の安定剤の量を指す。１つの実施形態では、安定剤対フッ素含有ケトンの質量比は、０．１：１０００から５０：１０００までの範囲である。別の実施形態では、安定剤対フッ素含有ケトンの質量比は、０．５：１０００〜１０：１０００である。１つの実施形態では、安定剤対フッ素含有ケトンの質量比は、０．５：１０００から５：１０００までの範囲である。
【００５６】
本発明は、少なくとも１つのフッ素含有ケトンを含む組成物を安定化するための方法であって、エポキシ化合物、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、アルコキシメタン化合物、又は有機チオ化合物の少なくとも１つを含む有効量の化合物安定剤を、少なくとも１つのフッ素含有ケトンを含む組成物に添加することを含む方法に更に関する。
【００５７】
本発明は、少なくとも１つのフッ素含有ケトンを含む組成物の劣化を低減するための方法であって、上記劣化が、消火系、洗浄系、冷却系、空調系、又はヒートポンプ系に水分が存在することに起因し、上記方法が、ヒンダードフェノール化合物、β−ジケトン化合物、ホスファイト化合物、ヒドロキシベンゾフェノン化合物、又はアルコキシメタン化合物の少なくとも１つを含む有効量の化合物安定剤を、少なくとも１つのフッ素含有ケトンを含む組成物に添加することを含む方法に更に関する。
【００５８】
本発明は、少なくとも１つのフッ素含有ケトンを含む組成物の劣化を低減するための方法であって、上記劣化が、消火系、洗浄系、冷却系、空調系、又はヒートポンプ系に水分及び金属が存在することに起因し、上記方法が、ヒンダードフェノール化合物、β−ジケトン化合物、ホスファイト化合物、ヒドロキシベンゾフェノン化合物、アルコキシメタン化合物、又は有機チオ化合物の少なくとも１つを含む有効量の化合物安定剤を、少なくとも１つのフッ素含有ケトンを含む組成物に添加することを含む方法に更に関する。
【００５９】
本発明は、少なくとも１つのフッ素含有ケトンを含む組成物の劣化を低減するための方法であって、上記劣化が、消火系、洗浄系、冷却系、空調系、又はヒートポンプ系に水分、金属、及び酸が存在することに起因し、上記方法が、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、アルコキシメタン化合物、又は有機チオ化合物の少なくとも１つを含む有効量の化合物安定剤を、少なくとも１つのフッ素含有ケトンを含む組成物に添加することを含む方法に更に関する。
【００６０】
本発明は、水分及び光下での、少なくとも１つのフッ素含有ケトンを含む組成物の劣化を低減するための方法であって、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、又はアルコキシメタン化合物の少なくとも１つを含む有効量の化合物安定剤を、少なくとも１つのフッ素含有ケトンを含む組成物に添加することを含む方法に更に関する。
【００６１】
本発明は、酸素と、少なくとも１つのフッ素含有ケトンを含む組成物との反応を低減するための方法であって、エポキシ化合物、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、又はアルコキシメタン化合物の少なくとも１つを含む有効量の化合物安定剤を、少なくとも１つのフッ素含有ケトンを含む組成物に添加することを含む方法に更に関する。
【００６２】
本発明は、火炎を抑制するための方法であって、少なくとも組成物を、火炎の少なくとも一部分に又は火炎の燃料源に適用することを含み、組成物が、少なくとも１つのフッ素含有ケトンと、エポキシ化合物、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、アルコキシメタン化合物、又は有機チオ化合物の少なくとも１つを含む有効量の安定剤とを含む方法に更に関する。
【００６３】
本発明は、火災を消火するための方法であって、少なくとも組成物を適用して、空気を含む気密密閉空間での可燃性物質の発火又は爆燃を防止することを含み、組成物が、少なくとも１つのフッ素含有ケトンと、エポキシ化合物、ニトロ化合物、ヒンダードフェノール化合物、β−ジケトン化合物、ホスファイト化合物、サリチレート化合物、シンナメート化合物、ヒドロキシベンゾフェノン化合物、ヒドロキシ安息香酸化合物、アルコキシメタン化合物、又は有機チオ化合物の少なくとも１つを含む有効量の安定剤とを含む方法に更に関する。
【００６４】
本発明は、上記組成物の使用に更に関する。組成物は、消火剤、伝熱媒体、マグネシウム合金融解保護剤、溶媒、洗浄剤、発泡剤、エアロゾル噴霧剤、絶縁媒体、又は電子エッチングガスとして使用することができる。組成物は、消火剤として使用される場合、例えば、パイプネットワーク消火システム、収納型消火システム、ぶら下げ型消火システム、又は携帯型消火器での使用が特に好適である。組成物は、伝熱媒体として使用される場合、例えば、冷蔵庫、冷却器、有機ランキンサイクルデバイス、ヒートポンプ、又はコンテナでの使用に特に好適である。組成物は、絶縁媒体又は消弧媒体として使用される場合、中電圧、高電圧、超高電圧電源電気機器に特に好適である。
【００６５】
以下の例における試験方法の原理は、冷媒試験基準ＡＳＨＲＡＥ９７：２００７に従い、耐圧容器を使用し、通常圧力下又は減圧下でフッ素含有ケトン組成物を添加し、その後窒素又は空気で膨張させ、ある温度で数日間維持してから、異なる試験設定に従って暗所又は明所等の条件下に配置する。設定した日数に達したら、温度を室温に低下させてから、サンプリング分析を実施する。充填率は、ＩＳＯ１４５２０−５：２００５に従う。水分単位は、ｍｇ／ｋｇであり、以下ではｐｐｍとして示される。酸性度は、ＨＣｌで算出し、単位は、ｍｇ／ｋｇであり、以下ではｐｐｍとして示される。
【実施例】
【００６６】
実施例１
１０５ｇの１，１，１，２，２，４，５，５，５−ノナフルオロ−４−（トリフルオロメチル）−３−ペンタノンを、テトラフルオロエチレンで内張りされている１００ｍＬステンレス鋼シリンダーに減圧下で導入する。安定剤組成及び添加量は、表３に示されている。未乾燥の一般産業用窒素を２０℃で２．５ＭＰａ（２５ｂａｒ）まで注入し、密閉した後、シリンダーを６０℃に加熱し、その後６０℃で静置し、その後１０日目、３０日目、及び６０日目にサンプリング分析を実施する。結果は、表４に示されている。
【００６７】
実施例２〜６
安定剤の組成及び量が調節されている以外、作業は実施例１と同じである。安定剤の組成及び量は、表３に示されている。１０日目、３０日目、及び６０日目にサンプリング分析を実施し、結果は、表４に示されている。
【００６８】
実施例７
１０５ｇの１，１，１，２，２，４，５，５，５−ノナフルオロ−４−（トリフルオロメチル）−３−ペンタノンを、１００ｍＬ炭素鋼シリンダーに減圧下で導入する。安定剤組成及び添加量は、表３に示されている。未乾燥の一般産業用窒素を２０℃で２．５ＭＰａ（２５ｂａｒ）まで注入し、密閉した後、シリンダーを６０℃に加熱し、その後６０℃で静置し、その後１０日目、３０日目、及び６０日目にサンプリング分析を実施する。結果は、表４に示されている。
【００６９】
実施例８〜９
安定剤の組成及び量が調節されている以外、作業は実施例７と同じである。安定剤の組成及び量は、表３に示されている。１０日目、３０日目、及び６０日目にサンプリング分析を実施し、結果は、表４に示されている。
【００７０】
実施例１０
１０５ｇの１，１，１，２，２，４，５，５，５−ノナフルオロ−４−（トリフルオロメチル）−３−ペンタノン及び０．０１ｇのペンタフルオロプロピオン酸を、１００ｍＬ炭素鋼シリンダーに減圧下で導入する。安定剤組成及び添加量は、表３に示されている。未乾燥の一般産業用窒素を２０℃で２．５ＭＰａ（２５ｂａｒ）まで注入し、密閉した後、シリンダーを６０℃に加熱し、その後６０℃で静置し、その後１０日目、３０日目、及び６０日目にサンプリング分析を実施する。結果は、表４に示されている。
【００７１】
実施例１１〜１２
安定剤の組成及び量が調節されている以外、作業は実施例１０と同じである。安定剤の組成及び量は、表３に示されている。１０日目、３０日目、及び６０日目にサンプリング分析を実施し、結果は、表４に示されている。
【００７２】
実施例１３
１０５ｇの１，１，１，２，２，４，５，５，５−ノナフルオロ−４−（トリフルオロメチル）−３−ペンタノン及び０．５ｇの水を、テトラフルオロエチレンで内張りされている１００ｍＬステンレス鋼シリンダーに減圧下で導入する。安定剤組成及び添加量は、表３に示されている。未乾燥の圧縮空気を２０℃で２．５ＭＰａ（２５ｂａｒ）まで注入し、密閉した後、シリンダーを６０℃に加熱し、その後６０℃で静置し、その後１０日目、３０日目、及び６０日目にサンプリング分析を実施する。結果は、表４に示されている。
【００７３】
実施例１４
１０５ｇの１，１，１，２，２，４，５，５，５−ノナフルオロ−４−（トリフルオロメチル）−３−ペンタノン及び０．５ｇの水を、テトラフルオロエチレンで内張りされている１００ｍＬステンレス鋼シリンダーに減圧下で導入する。安定剤組成及び添加量は、表３に示されている。酸素を２０℃で０．５ＭＰａ（５ｂａｒ）まで注入し、その後未乾燥の一般産業用窒素を更に２．５ＭＰａ（２５ｂａｒ）まで注入し、密閉した後、シリンダーを６０℃に加熱し、その後６０℃で静置し、その後１０日目、３０日目、及び６０日目にサンプリング分析を実施する。結果は、表４に示されている。
【００７４】
実施例１５
安定剤の組成及び量が調節されている以外、作業は実施例１３と同じである。安定剤の組成及び量は、表３に示されている。１０日目、３０日目、及び６０日目にサンプリング分析を実施し、結果は、表４に示されている。
【００７５】
実施例１６
安定剤の組成及び量が調節されている以外、作業は実施例１４と同じである。安定剤の組成及び量は、表３に示されている。１０日目、３０日目、及び６０日目にサンプリング分析を実施し、結果は、表４に示されている。
【００７６】
実施例１７
１０５ｇの１，１，１，２，２，４，５，５，５−ノナフルオロ−４−（トリフルオロメチル）−３−ペンタノン及び０．５ｇの水を、１０ｍＬの耐圧ガラス試験管に減圧下で導入する。安定剤組成及び添加量は、表３に示されている。未乾燥の一般産業用窒素を２０℃で２．５ＭＰａ（２５ｂａｒ）まで注入し、密閉した後、試験管を６０℃に加熱し、その後６０℃で静置し、その後１０日目、３０日目、及び６０日目にサンプリング分析を実施する。結果は、表４に示されている。
【００７７】
実施例１８〜２０
安定剤の組成及び量が調節されている以外、作業は実施例１７と同じである。安定剤の組成及び量は、表３に示されている。１０日目、３０日目、及び６０日目にサンプリング分析を実施し、結果は、表４に示されている。
【００７８】
【表３−１】
0006730428.tif 000009
【００７９】
【表３−２】
0006730428.tif 000010
【００８０】
【表４】
0006730428.tif 000011
【００８１】
実施例２１
１０５ｇのフッ素含有ケトン組成物を、テトラフルオロエチレンで内張りされている１００ｍＬステンレス鋼シリンダーに減圧下で導入する。フッ素含有ケトンの名称、安定剤の組成及び添加量は、表５に示されている。乾燥高純度窒素（水分＜１０ｐｐｍ）を２０℃で２．５ＭＰａ（２５ｂａｒ）まで注入し、密閉した後、シリンダーを６０℃に加熱し、その後６０℃で静置する。その後３０日目及び６０日目にサンプリング分析を実施する。結果は、表６に示されている。
【００８２】
実施例２２〜３９
安定剤の組成及び量が調節されている以外、作業は実施例２１と同じである。安定剤の組成及び量は、表５に示されている。３０日目及び６０日目にサンプリング分析を実施し、結果は、表６に示されている。
【００８３】
実施例４０〜４５
フッ素含有ケトン及び安定剤の組成及び量が調節されている以外、作業は実施例２１と同じである。フッ素含有ケトン及び安定剤の組成及び量は、表５に示されている。３０日目及び６０日目にサンプリング分析を実施し、結果は、表６に示されている。
【００８４】
【表５−１】
0006730428.tif 000012
【００８５】
【表５−２】
0006730428.tif 000013
【００８６】
【表５−３】
0006730428.tif 000014
【００８７】
【表６】
0006730428.tif 000015
【００８８】
比較例１
１０５ｇの１，１，１，２，２，４，５，５，５−ノナフルオロ−４−（トリフルオロメチル）−３−ペンタノンを、テトラフルオロエチレンで内張りされている１００ｍＬステンレス鋼シリンダーに減圧下で導入する。未乾燥の一般産業用窒素を２０℃で２．５ＭＰａ（２５ｂａｒ）まで注入し、密閉した後、オートクレーブを室温で静置し、その後１０日目、３０日目、及び６０日目にサンプリング分析を実施する。結果は、表７に示されている。
【００８９】
比較例２
１０５ｇの１，１，１，２，２，４，５，５，５−ノナフルオロ−４−（トリフルオロメチル）−３−ペンタノンを、テトラフルオロエチレンで内張りされている１００ｍＬステンレス鋼シリンダーに減圧下で導入する。未乾燥の一般産業用窒素を２０℃で２．５ＭＰａ（２５ｂａｒ）まで注入し、密閉した後、シリンダーを６０℃に加熱し、その後６０℃で静置し、その後１０日目、３０日目、及び６０日目にサンプリング分析を実施する。結果は、表７に示されている。
【００９０】
比較例３
１０５ｇの１，１，１，２，２，４，５，５，５−ノナフルオロ−４−（トリフルオロメチル）−３−ペンタノン及び０．５ｇの水を、テトラフルオロエチレンで内張りされている１００ｍＬステンレス鋼シリンダーに減圧下で導入する。未乾燥の一般産業用窒素を２０℃で２．５ＭＰａ（２５ｂａｒ）まで注入し、密閉した後、シリンダーを６０℃に加熱し、その後６０℃で静置し、その後１０日目、３０日目、及び６０日目にサンプリング分析を実施する。結果は、表７に示されている。
【００９１】
比較例４
１０５ｇの１，１，１，２，２，４，５，５，５−ノナフルオロ−４−（トリフルオロメチル）−３−ペンタノンを、１００ｍＬ炭素鋼シリンダーに減圧下で導入する。未乾燥の一般産業用窒素を２０℃で２．５ＭＰａ（２５ｂａｒ）まで注入し、密閉した後、シリンダーを６０℃に加熱し、その後６０℃で静置し、その後１０日目、３０日目、及び６０日目にサンプリング分析を実施する。結果は、表７に示されている。
【００９２】
比較例５
１０５ｇの１，１，１，２，２，４，５，５，５−ノナフルオロ−４−（トリフルオロメチル）−３−ペンタノン及び０．０１ｇのペンタフルオロプロピオン酸を、１００ｍＬ炭素鋼シリンダーに減圧下で導入する。未乾燥の一般産業用窒素を２０℃で２．５ＭＰａ（２５ｂａｒ）まで注入し、密閉した後、シリンダーを６０℃に加熱し、その後６０℃で静置し、その後１０日目、３０日目、及び６０日目にサンプリング分析を実施する。結果は、表７に示されている。
【００９３】
比較例６
１０５ｇの１，１，１，２，２，４，５，５，５−ノナフルオロ−４−（トリフルオロメチル）−３−ペンタノン及び０．５ｇの水を、テトラフルオロエチレンで内張りされている１００ｍＬステンレス鋼シリンダーに減圧下で導入する。未乾燥の圧縮空気を２０℃で２．５ＭＰａ（２５ｂａｒ）まで注入し、密閉した後、シリンダーを６０℃に加熱し、その後６０℃で静置し、その後１０日目、３０日目、及び６０日目にサンプリング分析を実施する。結果は、表７に示されている。
【００９４】
比較例７
１０５ｇの１，１，１，２，２，４，５，５，５−ノナフルオロ−４−（トリフルオロメチル）−３−ペンタノン及び０．５ｇの水を、テトラフルオロエチレンで内張りされている１００ｍＬステンレス鋼シリンダーに減圧下で導入する。酸素を２０℃で０．５ＭＰａ（５ｂａｒ）まで注入した後、未乾燥の一般産業用窒素を更に２．５ＭＰａ（２５ｂａｒ）まで注入し、密閉した後、シリンダーを６０℃に加熱し、その後６０℃で静置し、その後１０日目、３０日目、及び６０日目にサンプリング分析を実施する。結果は、表７に示されている。
【００９５】
比較例８
１０５ｇの１，１，１，２，２，４，５，５，５−ノナフルオロ−４−（トリフルオロメチル）−３−ペンタノン及び０．５ｇの水を、１０ｍＬの耐圧ガラス試験管に減圧下で導入する。未乾燥の一般産業用窒素を２０℃で２．５ＭＰａ（２５ｂａｒ）まで注入し、密閉した後、ガラス試験管を６０℃に加熱し、その後６０℃で静置し、その後１０日目、３０日目、及び６０日目にサンプリング分析を実施する。結果は、表７に示されている。
【００９６】
【表７】
0006730428.tif 000016